(57)【特許請求の範囲】
【請求項１】
端末デバイスによって、無線リソース制御、ＲＲＣ、シグナリングにより第１の時間周波数リソースが時間ドメインおよび／または周波数ドメインにおいてｍ個のサブ領域にグループ化されることを示すグループ化方法の情報を受信するステップであって、ｍは正の整数である、ステップと、
前記端末デバイスによって、物理ダウンリンク制御チャネルを介して第１のインジケーション情報を受信するステップであって、前記第１のインジケーション情報は、ｍビットの長さを有する第２のインジケーション情報を含み、前記第２のインジケーション情報の各ビットは、ｍ個のサブ領域のうちの１つにおける情報伝送が影響を受けるかどうかを示す、ステップと、
前記端末デバイスによって、前記グループ化方法および前記第１のインジケーション情報に基づいて、第３の時間周波数リソース上の情報伝送が影響を受けるかどうかを判定するステップであって、前記第３の時間周波数リソースは、前記端末デバイスとネットワークデバイスとの間のダウンリンク情報伝送に使用される時間周波数リソースである、ステップと
を含む、制御情報伝送方法。
【請求項２】
ネットワークデバイスによって、無線リソース制御、ＲＲＣ、シグナリングにより第１の時間周波数リソースが時間ドメインおよび／または周波数ドメインにおいてｍ個のサブ領域にグループ化されることを示すグループ化方法の情報を端末デバイスに送信するステップであって、ｍは正の整数である、ステップと、
前記ネットワークデバイスによって、第１のインジケーション情報を判定するステップであって、前記第１のインジケーション情報は、ｍビットの長さを有する第２のインジケーション情報を含み、前記第２のインジケーション情報の各ビットは、ｍ個のサブ領域のうちの１つにおける情報伝送が影響を受けるかどうかを示す、ステップと、
前記ネットワークデバイスによって、物理ダウンリンク制御チャネルを介して前記第１のインジケーション情報を送信するステップと
を含む、制御情報伝送方法。
【請求項３】
前記第１の時間周波数リソースは、ｎ個の第３の時間ユニットを含み、前記ｎ個の第３の時間ユニットは時間ドメインにおいてｍ個のサブ領域にグループ化され、前記ｍ個のサブ領域の各サブ領域は第２の時間ユニットに対応し、ｎ＝ｋ＊ｍ＋ｒであり、ｍ、ｎ、およびｋは正の整数であり、ｒは０以上の整数でありかつｒはｍ未満であり、前記ｍ個の第２の時間ユニットの最初のｒ個の第２の時間ユニットの各第２の時間ユニットはｋ＋１個の第３の時間ユニットを含み、前記ｍ個の第２の時間ユニットの最後のｍ−ｒ個の第２の時間ユニットの各第２の時間ユニットはｋ個の第３の時間ユニットを含む、請求項１または２に記載の方法。
【請求項４】
前記第１の時間周波数リソースはｎ個の第３の時間ユニットおよびｆ個の周波数ドメインユニットを含み、前記ｎ個の第３の時間ユニットはｍ１個の第２の時間ユニットにグループ化され、前記ｆ個の周波数ドメインユニットはｎ１個の第２の周波数ドメインユニットにグループ化され、ｍ１＊ｎ１＝ｍであり、前記ｍ個のサブ領域の各サブ領域は１つの第２の時間ユニット上の第２の周波数ドメインユニットに対応し、
ｎ＝ｋ１＊ｍ１＋ｒ１であり、ｍ１、ｎ、およびｋ１は正の整数であり、ｒ１は０以上の整数でありかつｒ１はｍ１未満であり、前記ｍ１個の第２の時間ユニットの最初のｒ１個の第２の時間ユニットの各第２の時間ユニットはｋ１＋１個の第３の時間ユニットを含み、前記ｍ１個の第２の時間ユニットの最後のｍ１−ｒ１個の第２の時間ユニットの各第２の時間ユニットはｋ１個の第３の時間ユニットを含み、
ｆ＝ｋ２＊ｎ１＋ｒ２であり、ｎ１、ｆ、およびｋ２は正の整数であり、ｒ２は０以上の整数でありかつｒ２はｎ１未満であり、前記ｎ１個の第２の周波数ドメインユニットの最初のｒ２個の第２の周波数ドメインユニットの各第２の周波数ドメインユニットはｋ２＋１個の周波数ドメインユニットを含み、前記ｎ１個の第２の周波数ドメインユニットの最後のｎ１−ｒ２の第２の周波数ドメインユニットの各第２の周波数ドメインユニットはｋ２個の周波数ドメインユニットに対応する、請求項１または２に記載の方法。
【請求項５】
ｍ１は７に等しく、ｎ１は２に等しい、請求項４に記載の方法。
【請求項６】
ｍは１４に等しい、請求項１から５のいずれか一項に記載の方法。
【請求項７】
前記第１の時間周波数リソースの時間ドメイン長さは、前記第１のインジケーション情報の監視期間に等しい、請求項１ないし６のいずれか一項に記載の方法。
【請求項８】
前記第１のインジケーション情報はＮ番目の第１の時間ユニット上で送信され、前記第１のインジケーション情報の送信期間がＴ個の第１の時間ユニットであるとき、前記第１の時間周波数リソースの時間ドメインロケーションは、（Ｎ−Ｔ）番目の第１の時間ユニットから（Ｎ−１）番目の第１の時間ユニットまでであり、ＮおよびＴは正の整数であり、ＴはＮ以下である、請求項７に記載の方法。
【請求項９】
請求項１から８のいずれか一項に記載の方法を実行するように適合された手段を備えた、通信装置。
【請求項１０】
プロセッサと、
前記プロセッサにより実行されるプログラムを記憶したコンピュータ可読媒体であって、前記プログラムは請求項１ないし８のいずれか一項に記載の方法を実行するための命令を含む、コンピュータ可読媒体と
を備えた通信装置。
【請求項１１】
コンピュータ可読記憶媒体であって、前記コンピュータ可読記憶媒体は命令を記憶し、通信装置により実行されると、前記命令は前記通信装置に請求項１ないし８のいずれか一項に記載の方法を実行させる、コンピュータ可読記憶媒体。
【請求項１２】
命令を備えたプログラムであって、通信装置により実行されると、前記命令は、前記通信装置に請求項１ないし８のいずれか一項に記載の方法を実行させる、プログラム。
【請求項１３】
請求項１に記載の方法を実行するように構成された端末と、
請求項２に記載の方法を実行するように構成されたネットワークデバイスと
を備えた、通信システム。
【請求項１４】
請求項１ないし８のいずれか一項に記載の方法を実施するように構成されたチップ。
【発明の詳細な説明】
【技術分野】
【０００２】
本出願の実施形態は、ワイヤレス通信分野に関し、詳細には、ワイヤレス通信システムにおける制御情報伝送方法およびデバイスに関する。
【背景技術】
【０００３】
モバイル通信技術は人々の生活を著しく変化させたが、人々はより高性能なモバイル通信技術をなお追い求めている。爆発的なモバイルデータトラフィック増加、大量のモバイル通信デバイス接続、ならびに将来における様々な新しいサービスおよび適用シナリオの絶え間ない出現に対処するために、時代が要求するように第５世代（ｔｈｅ  ｆｉｆｔｈ  ｇｅｎｅｒａｔｉｏｎ、５Ｇ）モバイル通信システムが出現している。国際電気通信連合（ｉｎｔｅｒｎａｔｉｏｎａｌ  ｔｅｌｅｃｏｍｍｕｎｉｃａｔｉｏｎ  ｕｎｉｏｎ、ＩＴＵ）は、拡張モバイルブロードバンド（ｅｎｈａｎｃｅｄ  ｍｏｂｉｌｅ  ｂｒｏａｄｂａｎｄ、ｅＭＢＢ）、超高信頼および低レイテンシ通信（ｕｌｔｒａ  ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）、ならびに大量マシンタイプ通信（ｍａｓｓｉｖｅ  ｍａｃｈｉｎｅ  ｔｙｐｅ  ｃｏｍｍｕｎｉｃａｔｉｏｎｓ、ｍＭＴＣ）という、５Ｇおよび将来のモバイル通信システムのための３つのタイプの適用シナリオを定義している。
【０００４】
典型的なｅＭＢＢサービスは、超高精細度ビデオ、拡張現実（ａｕｇｍｅｎｔｅｄ  ｒｅａｌｉｔｙ、ＡＲ）、仮想現実（ｖｉｒｔｕａｌ  ｒｅａｌｉｔｙ、ＶＲ）などを含む。これらのサービスは主に、大きいデータ伝送量および極めて高い伝送レートによって特徴づけられる。典型的なＵＲＬＬＣサービスは、産業用製造または生産処理におけるワイヤレス制御、自動運転車および無人航空機の動き制御および遠隔修理、ならびに遠隔医療手術など、触覚型対話適用例を含む。これらのサービスは、超高信頼性および低レイテンシ、比較的小さいデータ伝送量、ならびにバースト性についての要件によって主に特徴づけられる。典型的なｍＭＴＣサービスは、膨大な量のウェブ接続されたデバイス、比較的小さいデータ伝送量、および伝送レイテンシに対するデータの鈍感性によって主に特徴づけられる、スマートグリッド電力分配自動化、スマートシティなどを含む。これらのｍＭＴＣ端末は、低いコストおよび極めて長い待機時間についての要件を満たす必要がある。
【０００５】
異なるサービスは、モバイル通信システムについて異なる要件を有する。複数の異なるサービスのすべてのデータ伝送要件をどのようにより良好に満たすべきかが、現在の５Ｇモバイル通信システムにおいて解決されるべき技術的問題である。たとえば、ＵＲＬＬＣサービスとｅＭＢＢサービスの両方をどのようにサポートすべきであるかが、現在の５Ｇモバイル通信システムについて議論されるホットトピックの１つである。
【０００６】
ｅＭＢＢサービスは比較的大きいデータ量および比較的高い伝送レートを有するので、ｅＭＢＢサービスでは、伝送効率を改善するために、データ伝送のために比較的長い時間ユニットが通常使用される。たとえば、１５ｋＨｚのサブキャリア間隔における１つのスロットが使用され、このスロットは、７つの時間ドメインシンボルに対応し、０．５ミリ秒（ｍｉｌｌｉｓｅｃｏｎｄ、ｍｓ）の時間長さに対応する。ＵＲＬＬＣサービスデータでは、超低レイテンシについての要件を満たすために、比較的短い時間ユニットが通常使用される。たとえば、１５ｋＨｚのサブキャリア間隔における２つの時間ドメインシンボルが使用されるか、または６０ｋＨｚのサブキャリア間隔における１つのスロットが使用され、このスロットは、７つの時間ドメインシンボルに対応し、０．１２５ｍｓの時間長さに対応する。
【０００７】
ＵＲＬＬＣサービスデータのバースト性により、システムリソース利用を改善するために、ネットワークデバイスは、ＵＲＬＬＣサービスのダウンリンクデータを伝送するためのリソースを通常予約しない。ＵＲＬＬＣサービスデータがネットワークデバイスに到来したとき、この時にアイドル状態の時間周波数リソースがない場合、超低レイテンシについてのＵＲＬＬＣサービスの要件を満たすために、ネットワークデバイスは、現在スケジュールされているｅＭＢＢサービスデータの伝送が完了した後に、ＵＲＬＬＣサービスデータのためにスケジューリングを実施することができない。ネットワークデバイスは、プリエンプション（ｐｒｅｅｍｐｔｉｏｎ）方式でＵＲＬＬＣサービスデータにリソースを割り当て得る。図１に示されているように、本明細書でのプリエンプションは、ネットワークデバイスが、ＵＲＬＬＣサービスデータを伝送するために、ｅＭＢＢサービスデータを伝送するために使用される割り当てられた時間周波数リソースの部分または全部を選択し、ネットワークデバイスが、ＵＲＬＬＣサービスデータを伝送するために使用される時間周波数リソース上でｅＭＢＢサービスデータを送信しないことを意味する。
【０００８】
ｅＭＢＢサービスデータを受信している端末デバイスが、ＵＲＬＬＣサービスデータによって影響を受けるデータについて知ることをどのように可能にすべきかが、本出願において解決されるべき技術的問題である。
【発明の概要】
【０００９】
本出願は、ＵＲＬＬＣサービスデータによって影響を受けるｅＭＢＢサービスデータを示し、それにより、データ伝送効率を改善するための、制御情報伝送方法を提供する。
【００１０】
第１の態様によれば、制御情報伝送方法が提供される。本方法は、ネットワークデバイスによって、第１のインジケーション情報を判定するステップであって、第１のインジケーション情報は、第１の時間周波数リソース上の情報伝送が影響を受けるかどうかを示すために使用される、ステップと、ネットワークデバイスによって、物理ダウンリンク制御チャネルを通して第１のインジケーション情報を送信するステップとを含む。制御情報伝送方法において、ネットワークデバイスは、物理ダウンリンク制御チャネルを通して端末デバイスに第１のインジケーション情報を送って、端末デバイスのデータ伝送のためのリソースが他の情報伝送によってプリエンプトされるかどうか、および端末デバイスのデータ伝送が他の情報伝送によって干渉されるかどうかを含めて、端末デバイスのデータ伝送が他の情報伝送によって影響を受けるかどうかを通知し、それにより、データ受信および復号において端末デバイスを支援する。本出願では、第１のインジケーション情報はプリエンプションインジケーション情報とも呼ばれる。第１のインジケーション情報を受信した後に、端末デバイスは、時間周波数リソースの部分または全部の上のデータ伝送が他の情報伝送によって影響を受けるかどうかを判定し、時間周波数リソースの部分または全部の上のデータ伝送が他の情報伝送によって影響を受ける場合、影響を受ける領域中の対応するデータを廃棄してよく、領域中のデータは復号またはＨＡＲＱ合成に関与せず、それにより、復号成功率を改善し、データ伝送効率を改善する。
【００１１】
第１の態様の可能な実装では、ネットワークデバイスは第１の制御情報を送信し、第１の制御情報は、第１の時間周波数リソースの周波数ドメインロケーション情報を含む。プリエンプションインジケーションの設計を簡略化するために、プリエンプションインジケーションのためのリソース領域が定義されてよく、（第１の時間周波数リソースに対応する）ＰＩ領域と呼ばれる。プリエンプションインジケーションは、ＰＩ領域中の特定のプリエンプトされた時間周波数リソースを示すために使用される。本明細書での第１の制御情報は、端末デバイスが、第１のインジケーション情報および第１の制御情報に基づいて、データ伝送が影響を受ける時間周波数リソースを判定することができるように、ＰＩ領域の時間周波数範囲を示すために使用される。
【００１２】
第１の態様の可能な実装では、第１の時間周波数リソースの周波数ドメインロケーション情報は、開始ロケーションオフセット情報および周波数ドメイン幅情報を含む。端末デバイスは、第１の制御情報中で周波数ドメインロケーション情報を受信して、ＰＩ領域の周波数ドメインロケーションを判定する。第１の時間周波数リソースの周波数ドメインロケーションの基準点情報が、周波数ドメインロケーション情報中に含まれ、ネットワークデバイスによって端末デバイスに送信され得るか、またはシステムにおいて事前定義され得る。第１の時間周波数リソースの時間ドメインロケーション情報が、システムにおいて事前定義され得るか、または第１の制御情報中に含まれ、ネットワークデバイスによって端末デバイスに送信され得る。
【００１３】
第１の態様の可能な実装では、第１のインジケーション情報は、ｍビットの長さをもつ第２のインジケーション情報を含み、ｍは、１よりも大きい整数であり、第２のインジケーション情報中の各ビットは、第１の時間周波数リソース中の１つの第２の時間ユニット上の情報伝送が影響を受けるかどうかを示すために使用され、第２の時間ユニットの時間ドメイン長さは、第１の時間周波数リソースの時間ドメイン長さよりも短い。この実装では、ＰＩ領域は、第１のインジケーション情報を使用することによって、リソースプリエンプションが各第２の時間ユニット上で行われるかどうかを示すために、時間ドメイン中でｍ個の第２の時間ユニットに分割されてよい。
【００１４】
第１の態様の可能な実装では、第１のインジケーション情報は、ｍビットの長さをもつ第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１よりも大きい整数であり、第２の時間周波数リソースの周波数ドメイン幅は、第１の時間周波数リソースの周波数ドメイン幅以下である。この実装では、ＰＩ領域は、第１のインジケーション情報を使用することによって、リソースプリエンプションが各第２の時間周波数リソース上で行われるかどうかを示すために、時間次元と周波数次元の両方中でｍ個の第２の時間周波数リソースに分割されてよい。このようにして、示されるグラニュラリティがより細かくなって、プリエンプションが行われない部分的時間周波数リソース上のデータも、過大に粗く示されるグラニュラリティにより端末デバイスによって廃棄される事例が回避され、それにより、データ伝送効率が改善されることが可能である。
【００１５】
第１の態様の可能な実装では、ネットワークデバイスは、ＲＲＣシグナリングまたは物理レイヤシグナリングを使用することによってＣＳＩフィードバック時間シーケンスパラメータΔｔ１またはΔｔ２を端末デバイスに通知し、Δｔ１＝Ｔ３−Ｔ１、Δｔ２＝Ｔ３−Ｔ２であり、Ｔ１は、端末デバイスが第１のインジケーション情報を受信する瞬間であり、Ｔ２は、端末デバイスが、瞬間Ｔ０において受信されるＣＳＩ−ＲＳに基づいてＣＳＩをフィードバックする瞬間であり、Ｔ３は、端末デバイスが、更新されたＣＳＩをフィードバックする瞬間である。
【００１６】
第１の態様の可能な実装では、第１のインジケーション情報が、端末デバイスのＣＳＩ−ＲＳのための時間周波数リソースの部分または全部が瞬間Ｔ０においてプリエンプトされるかまたは影響を受けることを示すとき、ネットワークデバイスは、瞬間Ｔ３において端末デバイスからＣＳＩ測定結果を受信する。この実装における方法によれば、端末デバイスは、より正確なＣＳＩ測定結果をネットワークデバイスにフィードバックし、それにより、データ伝送効率を改善することができる。
【００１７】
第２の態様によれば、制御情報伝送方法が提供される。本方法は、端末デバイスによって、物理ダウンリンク制御チャネルを通して第１のインジケーション情報を受信するステップであって、第１のインジケーション情報は、第１の時間周波数リソース上の情報伝送が影響を受けるかどうかを示すために使用される、ステップと、第１のインジケーション情報に基づいて端末デバイスによって、第３の時間周波数リソース上の情報伝送が影響を受けるかどうかを判定するステップであって、第３の時間周波数リソースは、端末デバイスとネットワークデバイスとの間のダウンリンク情報伝送のために使用される時間周波数リソースである、ステップとを含む。
【００１８】
第２の態様による制御情報伝送方法は、第１の態様による制御情報伝送方法に対応する受信デバイス側上の方法であり、したがって、第１の態様または第１の態様の対応する可能な実装による方法の有益な効果をも達成することができる。詳細について本明細書で再び説明されない。
【００１９】
第２の態様の可能な実装では、端末デバイスは第１の制御情報を受信し、第１の制御情報は、第１の時間周波数リソースの周波数ドメインロケーション情報を含む。
【００２０】
第２の態様の可能な実装では、第１の時間周波数リソースの周波数ドメインロケーション情報は、開始ロケーションオフセット情報および周波数ドメイン幅情報を含む。
【００２１】
第２の態様の可能な実装では、第１のインジケーション情報は、ｍビットの長さをもつ第２のインジケーション情報を含み、ｍは、１よりも大きい整数であり、第２のインジケーション情報中の各ビットは、第１の時間周波数リソース中の１つの第２の時間ユニット上の情報伝送が影響を受けるかどうかを示すために使用され、第２の時間ユニットの時間ドメイン長さは、第１の時間周波数リソースの時間ドメイン長さよりも短い。
【００２２】
第２の態様の可能な実装では、第１のインジケーション情報は、ｍビットの長さをもつ第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１よりも大きい整数であり、第２の時間周波数リソースの周波数ドメイン幅は、第１の時間周波数リソースの周波数ドメイン幅以下である。
【００２３】
第２の態様の可能な実装では、第１のインジケーション情報の監視オケージョンが到来したとき、端末デバイスは、第１のインジケーション情報の監視オケージョンに対応する第１の時間周波数リソース上で端末デバイスに送信されるべきデータまたは制御情報があるかどうかを判定し、第１の時間周波数リソース上で端末デバイスに送信されるべきデータまたは制御情報がある場合、第１のインジケーション情報を監視して、ネットワークデバイスが第１のインジケーション情報を送信するかどうかを判定する。この実装では、端末デバイスは、必要なときのみ第１のインジケーション情報を監視し、したがって、端末デバイスの処理リソースは節約されて、端末デバイスのエネルギー消費が低減されることが可能である。
【００２４】
第２の態様の可能な実装では、端末デバイスは、ＲＲＣシグナリングまたは物理レイヤシグナリングを使用することによってネットワークデバイスからＣＳＩフィードバック時間シーケンスパラメータΔｔ１またはΔｔ２を受信し、Δｔ１＝Ｔ３−Ｔ１、Δｔ２＝Ｔ３−Ｔ２であり、Ｔ１は、端末デバイスが第１のインジケーション情報を受信する瞬間であり、Ｔ２は、端末デバイスが、瞬間Ｔ０において受信されるＣＳＩ−ＲＳに基づいてＣＳＩをフィードバックする瞬間であり、Ｔ３は、端末デバイスが、更新されたＣＳＩをフィードバックする瞬間である。
【００２５】
第２の態様の可能な実装では、第１のインジケーション情報が、ＣＳＩ−ＲＳのための時間周波数リソースの部分または全部が瞬間Ｔ０においてプリエンプトされるかまたは影響を受けることを示すとき、端末デバイスは、第１のインジケーション情報のコンテンツに基づいて、プリエンプトされるかまたは影響を受ける時間周波数リソース上でＣＳＩ−ＲＳの部分を除去し、ＣＳＩ−ＲＳの残りの部分上で再びＣＳＩ測定を実施してＣＳＩ測定結果を更新し、瞬間Ｔ３において、更新されたＣＳＩ測定結果をネットワークデバイスにフィードバックし得る。この実装における方法によれば、端末デバイスは、より正確なＣＳＩ測定結果をネットワークデバイスにフィードバックし、それにより、データ伝送効率を改善することができる。
【００２６】
第３の態様によれば、通信装置が提供される。通信装置は、第１の態様または第１の態様の可能な実装のうちのいずれか１つによる方法を実施するための、処理ユニットおよび送信ユニットを含む。
【００２７】
第４の態様によれば、通信装置が提供される。通信装置は、第１の態様または第１の態様の可能な実装のうちのいずれか１つによる方法を実施するための、プロセッサ、メモリ、およびトランシーバを含む。
【００２８】
第５の態様によれば、通信装置が提供される。通信装置は、第２の態様または第２の態様の可能な実装のうちのいずれか１つによる方法を実施するための、処理ユニットおよび受信ユニットを含む。
【００２９】
第６の態様によれば、通信装置が提供される。通信装置は、第２の態様または第２の態様の可能な実装のうちのいずれか１つによる方法を実施するための、プロセッサ、メモリ、およびトランシーバを含む。
【００３０】
第７の態様によれば、コンピュータ可読記憶媒体が提供される。コンピュータ可読記憶媒体は命令を記憶し、命令がコンピュータ上で実行されたとき、コンピュータは、第１の態様または第１の態様の可能な実装のうちのいずれか１つによる方法を実施する。
【００３１】
第８の態様によれば、コンピュータ可読記憶媒体が提供される。コンピュータ可読記憶媒体は命令を記憶し、命令がコンピュータ上で実行されたとき、コンピュータは、第２の態様または第２の態様の可能な実装のうちのいずれか１つによる方法を実施する。
【００３２】
第９の態様によれば、命令を含むコンピュータプログラム製品が提供される。命令がコンピュータ上で実行されたとき、コンピュータは、第１の態様または第１の態様の可能な実装のうちのいずれか１つによる方法を実施する。
【００３３】
第１０の態様によれば、命令を含むコンピュータプログラム製品が提供される。命令がコンピュータ上で実行されたとき、コンピュータは、第２の態様または第２の態様の可能な実装のうちのいずれか１つによる方法を実施する。
【００３４】
第１１の態様によれば、第１の態様または第１の態様の可能な実装のうちのいずれか１つによる方法を実施するための、ネットワークデバイスのチップ製品が提供される。
【００３５】
第１２の態様によれば、第２の態様または第２の態様の可能な実装のうちのいずれか１つによる方法を実施するための、端末デバイスのチップ製品が提供される。
【図面の簡単な説明】
【００３６】
【図１】ＵＲＬＬＣサービスデータが、ｅＭＢＢサービスデータを伝送するために使用される時間周波数リソースをプリエンプトする概略図である。
【図２】本出願の実施形態が適用されたモバイル通信システムの概略アーキテクチャ図である。
【図３】本出願の実施形態による、ＰＩ領域と、プリエンプトされた時間周波数リソースとの間の関係の概略図である。
【図３Ａ】本出願の実施形態による、ＰＩを送信するための時間ユニットと、ＰＩ領域の時間ドメイン範囲との間の関係の概略図である。
【図３Ｂ】本出願の実施形態による、ＰＩを送信するための時間ユニットと、ＰＩ領域の時間ドメイン範囲との間の別の関係の概略図である。
【図４】本出願の実施形態による、ＰＩ領域の周波数ドメインロケーションを判定するための方法の概略図である。
【図４Ａ】本出願の実施形態による、ＰＩ領域中の不連続な時間周波数リソースのシナリオの概略図である。
【図４Ｂ】本出願の実施形態による、ＰＩ領域中の不連続な時間周波数リソースの別のシナリオの概略図である。
【図４Ｃ】本出願の実施形態による、ＰＩ領域中の不連続な時間周波数リソースの別のシナリオの概略図である。
【図４Ｄ】本出願の実施形態による、ＰＩ領域中の不連続な時間周波数リソースの別のシナリオの概略図である。
【図４Ｅ】本出願の実施形態による、ＰＩ領域セグメント化方法を判定する概略図である。
【図５】本出願の実施形態による制御情報伝送方法の概略図である。
【図５Ａ】本出願の実施形態によるＣＳＩフィードバック時間シーケンスの概略図である。
【図６】本出願の実施形態による通信装置の概略構造図である。
【図７】本出願の実施形態による別の通信装置の概略構造図である。
【図８】本出願の実施形態による別の通信装置の概略構造図である。
【図９】本出願の実施形態による別の通信装置の概略構造図である。
【発明を実施するための形態】
【００３７】
以下で、本出願の実施形態における添付の図面を参照しながら、本出願の実施形態における技術的解決策について説明する。
【００３８】
図２は、本出願の実施形態が適用されたモバイル通信システムの概略アーキテクチャ図である。図２に示されているように、モバイル通信システムは、コアネットワークデバイス２１０、無線アクセスネットワークデバイス２２０、ならびに少なくとも１つの端末デバイス（たとえば、図２の端末デバイス２３０および端末デバイス２４０）を含む。端末デバイスは、ワイヤレス方式で無線アクセスネットワークデバイスに接続され、無線アクセスネットワークデバイスは、ワイヤレスまたはワイヤード方式でコアネットワークデバイスに接続される。コアネットワークデバイスと無線アクセスネットワークデバイスは、互いに無関係な異なる物理デバイスであり得るか、またはコアネットワークデバイスの機能と無線アクセスネットワークデバイスの論理機能は、同じ物理デバイスに一体化され得るか、またはコアネットワークデバイスのいくつかの機能と無線アクセスネットワークデバイスのいくつかの機能は、１つの物理デバイスに一体化され得る。端末デバイスは固定ロケーションにあり得るかまたはモバイルであり得る。図２は概略図にすぎず、通信システムは他のネットワークデバイスをさらに含むことがあり、たとえば、図２に描かれていないワイヤレスリレーデバイスおよびワイヤレスバックホールデバイスをさらに含むことがある。モバイル通信システム中に含まれるコアネットワークデバイス、無線アクセスネットワークデバイス、および端末デバイスの量は、本出願のこの実施形態では限定されない。
【００３９】
無線アクセスネットワークデバイスは、モバイル通信システムにおいてワイヤレス方式で端末デバイスによってアクセスされるアクセスデバイスであり、ノードＢ（ＮｏｄｅＢ）、発展型ノードＢ（ｅＮｏｄｅＢ）、５Ｇモバイル通信システムまたは新無線（ｎｅｗ  ｒａｄｉｏ、ＮＲ）通信システム中の基地局、将来のモバイル通信システム中の基地局、ＷｉＦｉシステム中のアクセスノードなどであり得る。無線アクセスネットワークデバイスによって使用される特定の技術および特定のデバイス形態は、本出願のこの実施形態では限定されない。本出願では、無線アクセスネットワークデバイスは、短くネットワークデバイスと呼ばれる。別段に規定されていない限り、本出願では、すべてのネットワークデバイスは無線アクセスネットワークデバイスである。本出願では、５ＧおよびＮＲという用語は等価であり得る。
【００４０】
端末デバイスは、端末、ユーザ機器（ｕｓｅｒ  ｅｑｕｉｐｍｅｎｔ、ＵＥ）、移動局（ｍｏｂｉｌｅ  ｓｔａｔｉｏｎ、ＭＳ）、モバイル端末（ｍｏｂｉｌｅ  ｔｅｒｍｉｎａｌ、ＭＴ）などと呼ばれることもある。端末デバイスは、モバイルフォン（ｍｏｂｉｌｅ  ｐｈｏｎｅ）、タブレットコンピュータ（パッド）、ワイヤレス送信／受信機能をもつコンピュータ、仮想現実（Ｖｉｒｔｕａｌ  Ｒｅａｌｉｔｙ、ＶＲ）端末デバイス、拡張現実（Ａｕｇｍｅｎｔｅｄ  Ｒｅａｌｉｔｙ、ＡＲ）端末デバイス、産業用制御（ｉｎｄｕｓｔｒｉａｌ  ｃｏｎｔｒｏｌ）におけるワイヤレス端末、自動運転（ｓｅｌｆ  ｄｒｉｖｉｎｇ）におけるワイヤレス端末、遠隔医療手術（ｒｅｍｏｔｅ  ｍｅｄｉｃａｌ  ｓｕｒｇｅｒｙ）におけるワイヤレス端末、スマートグリッド（ｓｍａｒｔ  ｇｒｉｄ）におけるワイヤレス端末、運輸安全（ｔｒａｎｓｐｏｒｔａｔｉｏｎ  ｓａｆｅｔｙ）におけるワイヤレス端末、スマートシティ（ｓｍａｒｔ  ｃｉｔｙ）におけるワイヤレス端末、スマートホーム（ｓｍａｒｔ  ｈｏｍｅ）におけるワイヤレス端末などであり得る。
【００４１】
無線アクセスネットワークデバイスおよび端末デバイスはそれぞれ、陸上に展開され、屋内デバイス、屋外デバイス、ハンドヘルドデバイス、もしくは車載デバイスを含み得るか、または水上に展開され得るか、または空中の飛行機、バルーン、もしくは衛星上に展開され得る。無線アクセスネットワークデバイスおよび端末デバイスの適用シナリオは、本出願のこの実施形態では限定されない。
【００４２】
本出願のこの実施形態は、ダウンリンク信号伝送に適用可能であり、アップリンク信号伝送にも適用可能であり、デバイス間（ｄｅｖｉｃｅ−ｔｏ−ｄｅｖｉｃｅ、Ｄ２Ｄ）信号伝送にさらに適用可能である。ダウンリンク信号伝送では、送信デバイスは無線アクセスネットワークデバイスであり、対応する受信デバイスは端末デバイスである。アップリンク信号伝送では、送信デバイスは端末デバイスであり、対応する受信デバイスは無線アクセスネットワークデバイスである。Ｄ２Ｄ信号伝送では、送信デバイスは端末デバイスであり、対応する受信デバイスも端末デバイスである。信号伝送方向は、本出願のこの実施形態では限定されない。
【００４３】
無線アクセスネットワークデバイスと端末デバイスとの間の通信、および端末デバイス間の通信は、認可スペクトル（ｌｉｃｅｎｓｅｄ  ｓｐｅｃｔｒｕｍ）を使用することによって実施され得るか、または無認可スペクトル（ｕｎｌｉｃｅｎｓｅｄ  ｓｐｅｃｔｒｕｍ）を使用することによって実施され得るか、または認可スペクトルと無認可スペクトルの両方を使用することによって実施され得る。無線アクセスネットワークデバイスと端末デバイスとの間の通信、および端末デバイス間の通信は、６Ｇを下回るスペクトルを使用することによって実施され得るか、または６Ｇを上回るスペクトルを使用することによって実施され得るか、または６Ｇを下回るスペクトルと６Ｇを上回るスペクトルの両方を使用することによって実施され得る。無線アクセスネットワークデバイスおよび端末デバイスのために使用されるスペクトルリソースは、本出願のこの実施形態では限定されない。
【００４４】
説明のための以下の例として、ネットワークデバイスである送信デバイスと、端末デバイスである受信デバイスとの間のダウンリンク伝送が使用される。しかしながら、同様の方法はまた、端末デバイスである送信デバイスと、ネットワークデバイスである受信デバイスとの間のアップリンク伝送に適用され、端末デバイスである送信デバイスと、同じく端末デバイスである受信デバイスとの間のＤ２Ｄ伝送に適用され得る。
【００４５】
背景技術において説明されたように、ネットワークデバイスは、プリエンプション方式でＵＲＬＬＣサービスにリソースを割り当て得る。ＵＲＬＬＣサービスデータが、ｅＭＢＢサービスデータを伝送するために使用される時間周波数リソースの部分または全部をプリエンプトしたとき、プリエンプトされた時間周波数リソース上のｅＭＢＢサービスデータの伝送電力が０に設定されるか、またはｅＭＢＢサービスデータは、プリエンプトされた時間周波数リソース上で送信されない。これは、ｅＭＢＢサービスデータがパンクチャされること、またはｅＭＢＢサービスデータを伝送するために使用される時間周波数リソースがパンクチャされることと理解されてもよい。ｅＭＢＢサービスデータを受信している端末デバイスが、プリエンプションによって影響を受けるデータについて知らない場合、端末デバイスは、復号およびハイブリッド自動再送要求（ｈｙｂｒｉｄ  ａｕｔｏｍａｔｉｃ  ｒｅｐｅａｔ  ｒｅｑｕｅｓｔ、ＨＡＲＱ）合成のためにＵＲＬＬＣサービスデータをｅＭＢＢサービスデータと見なすことがある。結果的に、ｅＭＢＢサービスデータの復号およびＨＡＲＱ合成の性能は著しく影響を受ける。
【００４６】
ｅＭＢＢサービスデータを伝送するために使用される時間周波数リソースが、ＵＲＬＬＣサービスデータによってプリエンプトされるかまたは他の干渉によって影響を受けるとき、ネットワークデバイスは、受信を支援するためのインジケーション情報を端末デバイスに送信し得る。受信を支援するためのインジケーション情報は、プリエンプションまたは干渉によって影響を受ける時間周波数領域を端末デバイスに通知して、データ受信および復号において端末デバイスを支援するために使用される。ネットワークデバイスのために、受信を支援するためのインジケーション情報を受信した後に、端末デバイスは、影響を受ける時間周波数領域中で受信された対応するデータを廃棄してよく、領域中のデータは復号またはＨＡＲＱ合成に関与せず、それにより、復号成功率を改善し、データ伝送効率を改善する。ｅＭＢＢサービスデータを伝送するために使用される時間周波数リソースがＵＲＬＬＣサービスデータによってプリエンプトされるとき、受信を支援するためのインジケーション情報は、パンクチャインジケーション（ｐｕｎｃｔｕｒｉｎｇ  ｉｎｄｉｃａｔｉｏｎ）またはプリエンプションインジケーション（ｐｒｅ−ｅｍｐｔｉｏｎ  ｉｎｄｉｃａｔｉｏｎ、ＰＩ）と呼ばれることもある。受信を支援するためのインジケーション情報の特定の名前は、本出願では限定されない。
【００４７】
受信を支援するためのインジケーション情報は、ｅＭＢＢサービスデータを伝送するために使用される時間周波数リソースの部分が、予約済みリソースまたは干渉管理リソースであることを示すためにさらに使用され得る。本明細書での予約済みリソースは、ロングタームエボリューション（ｌｏｎｇ  ｔｅｒｍ  ｅｖｏｌｕｔｉｏｎ、ＬＴＥ）システムにおける使用のために予約され得る。たとえば、サブフレームの最初の３つの時間ドメインシンボルは、ＬＴＥにおける物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）による使用のために予約され得る。本明細書での干渉管理リソースは、基準信号またはゼロ電力基準信号を送信するために使用される時間周波数リソースであり得る。
【００４８】
本出願では、ｅＭＢＢサービスデータを伝送するために使用される時間周波数リソース中の予約済み時間周波数リソース、ｅＭＢＢサービスデータを伝送するために使用される時間周波数リソースにおいて干渉管理のために使用される時間周波数リソース、およびｅＭＢＢサービスデータを伝送するために使用される時間周波数リソースにおいて他のサービスデータまたは他のシグナリングを伝送するために使用される時間周波数リソースという、いくつかの時間周波数リソースは、すべて短く占有時間周波数リソースと呼ばれる。ｅＭＢＢサービスデータを伝送するために使用される時間周波数リソースは、２つのタイプの異なる方式で占有され得る。一方のタイプでは、ｅＭＢＢサービスデータを伝送するために使用される時間周波数リソースはプリエンプション方式で占有され、この事例では、占有時間周波数リソース上のｅＭＢＢデータはパンクチャされるか、または占有時間周波数リソース上のｅＭＢＢサービスデータの伝送電力が０に設定されることが理解されよう。他方のタイプでは、ｅＭＢＢサービスデータを伝送するために使用される時間周波数リソースはレートマッチング方式で占有され、ｅＭＢＢサービスデータは占有時間周波数リソース上で搬送されず、ｅＭＢＢサービスデータのためのデータマッピングを実施するとき、ネットワークデバイスは、ｅＭＢＢデータを搬送するための時間周波数リソースとして占有時間周波数リソースを使用しない。
【００４９】
本出願のこの実施形態について説明するために、ＵＲＬＬＣサービスデータが、ｅＭＢＢサービスデータを伝送するために使用される時間周波数リソースをプリエンプトする例が使用される。本出願のこの実施形態は、たとえば、第１の情報が、第２の情報を伝送するために使用される時間周波数リソースをプリエンプトするか、または第１の情報と第２の情報が、同じ時間周波数リソース上で送信され、互いに干渉を引き起こす、別の適用シナリオにも適用され得ることが理解されよう。適用シナリオは本出願では限定されない。本明細書では、データが影響を受けるサービスは、ｅＭＢＢサービスに加えて、ｕＭＴＣサービスまたは別のサービスであってよい。第１の情報は、第２の情報を伝送するために使用される時間周波数リソースを２つの方式で占有し得ることが理解されよう。一方の方式は、上記で説明されたプリエンプション方式であり、他方の方式は、上記で説明されたレートマッチング方式である。
【００５０】
上記で説明されたように、データ受信においてｅＭＢＢ端末デバイスを支援するために、ネットワークデバイスは、ｅＭＢＢ端末デバイスにプリエンプションインジケーション情報を送って、プリエンプトされた時間周波数リソースをｅＭＢＢ端末デバイスに通知し得る。プリエンプションインジケーションの設計を簡略化するために、プリエンプションインジケーションのためのリソース領域が定義されてよく、ＰＩ領域と呼ばれる。プリエンプションインジケーションは、ＰＩ領域中の特定のプリエンプトされた時間周波数リソースを示すために使用される。図３は、ＰＩ領域と、プリエンプトされた時間周波数リソースとの間の関係の例を提供する。図３に示されているように、時間周波数リソースＡはＰＩ領域であり、時間周波数リソースＢは、プリエンプトされた時間周波数リソースである。ＰＩ領域中の時間周波数リソースがすべてプリエンプトされたとき、時間周波数リソースＢは時間周波数リソースＡに等しい。ＰＩによって示されるグラニュラリティが十分細かくないという問題により、示されるプリエンプトされた時間周波数リソースＢは、プリエンプションが実際に行われる時間周波数リソース領域よりも大きくなり得ることが理解されよう。
【００５１】
ＰＩは、以下の２つの方法を使用することによって送信され得る。
【００５２】
一方の方法では、ＵＥ固有ＰＩ（ＵＥ−ｓｐｅｃｉｆｉｃ  ＰＩ）が使用され、すなわち、各ｅＭＢＢ  ＵＥに１つのＰＩが送信され、ＰＩは、プリエンプトまたはパンクチャされた時間周波数リソースのロケーションを示すために使用され、ＵＥ固有ダウンリンク制御情報（ｄｏｗｎｌｉｎｋ  ｃｏｎｔｒｏｌ  ｉｎｆｏｒｍａｔｉｏｎ、ＤＣＩ）中で搬送される。ＤＣＩは、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を通して、ネットワークデバイスによってＵＥに送信される。本明細書では、各ｅＭＢＢ  ＵＥに１つのＰＩが送信されることは、データ伝送を現在実施している各ｅＭＢＢ  ＵＥにＰＩが送信されることであり得るか、またはリソースプリエンプションに遭遇する各ｅＭＢＢ  ＵＥにＰＩが送信されることであり得る。この事例では、ＰＩ領域は、データ伝送のためにｅＭＢＢ  ＵＥに割り当てられたリソースである。
【００５３】
他方の方法では、グループ共通ＰＩ（ｇｒｏｕｐ  ｃｏｍｍｏｎ  ＰＩ）が使用され、すなわち、ｅＭＢＢ  ＵＥの１つのグループに１つのＰＩが送信され、ＰＩは、ＵＥのグループのプリエンプトまたはパンクチャされた時間周波数リソースのロケーションを示すために使用され、ＵＥのグループに送信される共通ＤＣＩ中で搬送される。共通ＤＣＩは、ＰＤＣＣＨを通して、ネットワークデバイスによってＵＥのグループに送信される。この事例では、ＰＩ領域は、複数のｅＭＢＢ  ＵＥのサービスデータを伝送するために使用される時間周波数リソースを含み得る。ＰＩを受信した後に、ｅＭＢＢ  ＵＥのグループ中の各ＵＥは、ＵＥのスケジュールされた時間周波数リソースと時間周波数リソースＢとの間の交差部（ｉｎｔｅｒｓｅｃｔｉｏｎ）を判定し、この交差部は、ＵＥのパンクチャされた時間周波数リソースのロケーションである。
【００５４】
ＰＩがグループ共通方式で送信されるとき、いくつかの問題が解決される必要があり得る。
【００５５】
グループ共通ＰＩは、同じグループ中の複数のｅＭＢＢ  ＵＥに送信される必要があり、同じグループ中の異なるＵＥは、伝送時間インターバル（ｔｒａｎｓｍｉｓｓｉｏｎ  ｔｉｍｅ  ｉｎｔｅｒｖａｌ、ＴＴＩ）、スケジューリングの１つの時間におけるデータ伝送持続時間、およびサブキャリア間隔など、パラメータのすべてが異なり得る。したがって、グループ中の各ＵＥが、ＰＩ領域の範囲およびＰＩ中の情報に基づいて、プリエンプトまたはパンクチャされる時間周波数リソースＢを判定し、ＵＥに割り当てられた時間周波数リソースを参照して、ＵＥに割り当てられた時間周波数リソース中のプリエンプトまたはパンクチャされる時間周波数リソースＣをさらに判定することを可能にするための、ＰＩ領域を判定するための方法が必要とされ、それにより、ＵＥは、時間周波数リソースＣ上で受信されたデータを特別に処理し、たとえば、時間周波数リソースＣ上のデータを廃棄し、時間周波数リソースＣ上のデータは復号またはＨＡＲＱ合成に関与しない。
【００５６】
ＰＩの設計を簡略化するために、ネットワークデバイスおよびＵＥは、ＰＩによって示されることが可能な時間周波数リソースグラニュラリティを判定する必要がある。固定の時間周波数リソースグラニュラリティが使用されるとき、プリエンプトされたリソースを示すために使用されるＰＩによって必要とされるビットの量は、ＰＩ領域が変化したときに変化する。
【００５７】
別の可能な実装では、ＰＩのビットの量が固定である。ＰＩ領域が変化したとき、対応するＰＩの各ビットによって示される時間周波数リソースグラニュラリティも変化する。
【００５８】
本出願の実施形態について以下で説明される。別段に規定されていない限り、本出願の実施形態において使用される用語および変数の意味は首尾一貫して保たれ、本出願の実施形態において使用される用語および変数の意味への相互参照が行われ得る。
【００５９】
実施形態１：どのようにＰＩ領域を判定すべきか
【００６０】
ＰＩ領域の判定は、ＰＩ領域の時間ドメインロケーションの判定、ＰＩ領域の周波数ドメインロケーションの判定、およびＰＩ領域のヌメロロジの判定という、３つの部分に分割される。
【００６１】
（Ｉ）ＰＩ領域の時間ドメインロケーションの判定
【００６２】
可能な設計では、ＰＩ送信期間は、Ｔ個の第１の時間ユニットである。ＰＩが、Ｎ番目の第１の時間ユニット上で送信されるとき、ＰＩ領域の時間ドメインロケーションは、（Ｎ−Ｘ）番目の第１の時間ユニットから（Ｎ−Ｙ）番目の第１の時間ユニットであり、ＴおよびＮは正の整数であり、Ｘは、０よりも大きくてＮ以下の整数であり、Ｙは、０以上でＮ未満の整数であり、ＸはＹよりも大きい。ＰＩ領域の時間ドメイン長さは、Ｘ−Ｙ＋１個の第１の時間ユニットである。可能な設計では、Ｔ＝Ｘ−Ｙ＋１であり、すなわち、ＰＩ送信期間は、ＰＩ領域の時間ドメイン長さに等しい。特に、Ｘ＝Ｔ、およびＹ＝１であるか、またはＸ＝Ｔ−１、およびＹ＝０である。たとえば、ＰＩ送信期間が４つのスロットであるとき、Ｘ＝４およびＹ＝１が構成される。この事例では、ＰＩが、５番目のスロット上で送信されるとき、ＰＩ領域の時間ドメインロケーションは、１番目のスロットから４番目のスロットである。
【００６３】
別の可能な設計では、ＰＩ送信期間は、１つの第１の時間ユニットである。ＰＩが、Ｎ番目の第１の時間ユニット上で送信されるとき、ＰＩ領域の時間ドメインロケーションは、（Ｎ−Ｘ）番目の第１の時間ユニットであり、Ｘは、０以上でＮ以下の整数である。
【００６４】
図３Ａに示されているように、ＰＩを送信するための時間ユニットは、ＰＩ領域の時間ドメイン範囲内の時間ユニットであり得るか、または図３Ｂに示されているように、ＰＩを送信するための時間ユニットは、ＰＩ領域の時間ドメイン範囲外の時間ユニットであり得ることが理解されよう。ＰＩを送信するための時間ユニットと、ＰＩ領域の時間ドメイン範囲との間の関係は、本出願では限定されない。
【００６５】
本明細書での第１の時間ユニットは、特定のヌメロロジにおける時間ユニットであってよく、特に、ヌメロロジにおける時間ドメインシンボル、ミニスロット（ｍｉｎｉ−ｓｌｏｔ）、スロット、サブフレームなどであり得るか、または第１の時間ユニットは、ヌメロロジとは無関係な時間ユニットであってよく、たとえば、１ｍｓ、０．５ｍｓ、０．２５ｍｓ、０．１２５ｍｓ、もしくは０．２５マイクロ秒（ｍｉｃｒｏｓｅｃｏｎｄ、μｓ）であり得る。本明細書でのヌメロロジは、サブキャリア間隔（ｓｕｂｃａｒｒｉｅｒ  ｓｐａｃｉｎｇ、ＳＣＳ）およびサイクリックプレフィックス（ｃｙｃｌｉｃ  ｐｒｅｆｉｘ、ＣＰ）長さを含む。異なるヌメロロジは、ＳＣＳおよびＣＰ長さのうちの少なくとも１つが異なる。たとえば、ヌメロロジのタイプにおいて、ＳＣＳは１５キロヘルツ（ｋｉｌｏｈｅｒｔｚ、ｋＨｚ）に等しく、ＣＰはノーマルＣＰであるか、ヌメロロジのタイプにおいて、ＳＣＳは６０ｋＨｚに等しく、ＣＰはノーマルＣＰであるか、ヌメロロジのタイプにおいて、ＳＣＳは１５ｋＨｚに等しく、ＣＰは拡張ＣＰであるか、またはヌメロロジのタイプにおいて、ＳＣＳは６０ｋＨｚであり、ＣＰは拡張ＣＰである。
【００６６】
ＰＩ領域の時間ドメインロケーションが、システムにおいて事前定義され得る。たとえば、異なるシナリオにおけるＰＩ領域の時間ドメインロケーションが、プロトコルにおいて判定される。代替として、ＰＩ領域の時間ドメインロケーションは、ネットワークデバイスによって判定され、次いで、シグナリングを使用することによってネットワークデバイスによってＵＥに通知され得る。本出願におけるシグナリングは、無線リソース制御（ｒａｄｉｏ  ｒｅｓｏｕｒｃｅ  ｃｏｎｔｒｏｌ、ＲＲＣ）シグナリングまたは物理レイヤシグナリングであり得るか、または媒体アクセス制御（ｍｅｄｉｕｍ  ａｃｃｅｓｓ  ｃｏｎｔｒｏｌ、ＭＡＣ）レイヤシグナリングであり得る。別段に規定されていない限り、本出願における制御情報伝送またはシグナリング通知は、ＲＲＣシグナリング、物理レイヤシグナリング、またはＭＡＣレイヤシグナリングのうちの１つまたは複数を使用することによって実装され得る。物理レイヤシグナリングは、通常、ＰＤＣＣＨ中で搬送される。
【００６７】
ネットワークデバイスは、ＵＥのサービス属性に基づいて異なるＰＩ監視期間を構成し得る。たとえば、ｍＭＴＣサービスでは、比較的長いＰＩ監視期間がＵＥのために構成される。さらに、ネットワークデバイスは、同じサービスタイプのＵＥを同じグループに入れることがあり、ネットワークデバイスは、同じグループ中のＵＥのＰＩ監視期間に基づいてＰＩ送信期間を判定し、ＰＩ領域の時間ドメイン長さを判定する。たとえば、可能な実装では、ＰＩ領域の時間ドメイン長さは、ＰＩ送信期間に等しく、ＰＩ監視期間に等しい。
【００６８】
（ＩＩ）ＰＩ領域の周波数ドメインロケーションの判定
【００６９】
帯域幅パート（ｂａｎｄｗｉｄｔｈ  ｐａｒｔ、ＢＷＰ）の概念が５Ｇに導入されている。ＢＷＰは、周波数ドメインにおける概念であり、連続的または離散的であり得る周波数ドメイン中のリソースのセグメントである。ネットワークデバイスがＵＥのためにＢＷＰを構成した後に、ＵＥのすべてのデータ伝送がＢＷＰ上で実施される。異なるＢＷＰが、異なるＵＥのために構成され得る。各ＵＥのために、データ伝送のための各ＵＥ固有ＢＷＰに加えて、ＵＥのグループのための共通ＢＷＰが構成され得る。本明細書では、共通ＢＷＰはデフォルトＢＷＰ（ｄｅｆａｕｌｔ  ＢＷＰ）と呼ばれる。
【００７０】
ＰＩ領域の周波数ドメインロケーションが、システムにおいて事前定義され得る。たとえば、異なるシナリオにおけるＰＩ領域の周波数ドメインロケーションが、プロトコルにおいて判定される。代替として、ＰＩ領域の周波数ドメインロケーションは、ネットワークデバイスによって判定され、次いで、シグナリングを使用することによってネットワークデバイスによってＵＥに通知され得る。
【００７１】
ＰＩ領域の周波数ドメインロケーションは、基準点として事前定義されたパラメータを使用することによって示され得る。事前定義されたパラメータは、同期信号ブロック（ｓｙｎｃｈｒｏｎｉｚａｔｉｏｎ  ｓｉｇｎａｌ  ｂｌｏｃｋ、ＳＳ  ｂｌｏｃｋ）、デフォルトＢＷＰ、ダウンリンクキャリア中心、および直流（ｄｉｒｅｃｔ  ｃｕｒｒｅｎｔ、ＤＣ）サブキャリアというパラメータのうちの１つであり得る。ＮＲでは、ＳＳブロックは、１次同期信号、２次同期信号、および物理ブロードキャストチャネル（ＰＢＣＨ）を含み、初期アクセスを実施するためにＵＥによって使用される。ネットワークデバイスは、周波数ドメイン中に複数のＳＳブロックを構成してよく、ＵＥは、複数のＳＳブロックを検出し、アクセスのために複数のＳＳブロックのうちの１つを選択し得る。ダウンリンクキャリア中心は、ダウンリンクキャリアの中心周波数である。ＤＣサブキャリアは、キャリアの直流成分である。中心周波数は、ＬＴＥにおいてＤＣサブキャリアとして使用されるが、ダウンリンクキャリアの中心周波数は、ＮＲでは使用されないことがある。
【００７２】
ＵＥがアクセスを実施するときに使用されるＳＳブロックは、ＰＩ領域の周波数ドメインロケーションを示すために、以下で基準点として使用される。３つの可能なインジケーション方式が以下に列挙される。
【００７３】
（１）図４に示されているように、ＳＳブロックに対するＰＩ領域の周波数ドメイン開始ロケーションのオフセット、およびＰＩ領域の周波数ドメイン幅が示される。ＳＳブロックは周波数ドメイン中の範囲であるので、ＳＳブロックの周波数ドメイン開始ロケーション、周波数ドメイン終了ロケーション、周波数ドメイン中間点などは、オフセットが示され計算されるとき、基準点として使用され得る。図４では、ＳＳブロックの周波数ドメイン終了ロケーションは、ＰＩ領域の周波数ドメイン開始ロケーションのオフセットを計算するために基準点として使用される。
【００７４】
（２）ＳＳブロックに対するＰＩ領域の周波数ドメイン終了ロケーションのオフセット、およびＰＩ領域の周波数ドメイン幅が示される。
【００７５】
（３）ＳＳブロックに対するＰＩ領域の開始ロケーションおよび終了ロケーションのオフセットが示される。
【００７６】
デフォルトＢＷＰとＳＳブロックは同様であり、両方とも周波数ドメイン中のリソースのセグメントに対応するので、デフォルトＢＷＰに基づいてＰＩ領域の周波数ドメインロケーションを示すための方法は、ＳＳブロックに基づいてＰＩ領域の周波数ドメインロケーションを示すための上記の方法に従って直接取得されることが可能である。詳細について本明細書で説明されない。
【００７７】
基準点としてダウンリンクキャリア中心を使用することによってＰＩ領域の周波数ドメインロケーションを示すための方法は、図４においてＳＳブロックの周波数ドメイン終了ロケーションが基準として使用されるインジケーション方法を参照することによって直接取得され得る。詳細について本明細書で説明されない。
【００７８】
本明細書では、オフセットおよび周波数ドメイン幅など、ＰＩ領域の周波数ドメインロケーションを示すために使用される関係するパラメータは、ヌメロロジを参照することによって提供され得る。たとえば、ヌメロロジにおけるＳＣＳは、オフセットと周波数ドメイン幅の両方のためのユニットとして使用される。
【００７９】
（ＩＩＩ）ＰＩ領域のヌメロロジの判定
【００８０】
上記の分析に基づいて、ＰＩ領域の時間ドメインロケーションと周波数ドメインロケーションの両方は、ヌメロロジを参照することによって示され得ることがわかる。このヌメロロジはＰＩ領域のヌメロロジと呼ばれる。
【００８１】
ＰＩ領域中の複数のｅＭＢＢ  ＵＥがヌメロロジにおいて異なり得ることを考慮すれば、グループ共通ＰＩを受信しているＵＥのグループのために参照ヌメロロジが判定される必要がある。参照ヌメロロジは、プロトコルにおいて事前定義され得るか、またはネットワークデバイスは、参照ヌメロロジを判定し、次いで、シグナリングを使用することによって参照ヌメロロジをＵＥに通知するか、またはネットワークデバイスとＵＥの両方は、ＰＩ領域のヌメロロジがＵＥのデータチャネルまたは制御チャネルのヌメロロジと同じであるとデフォルトで考える。
【００８２】
ＵＥがＰＩを受信した後に、ＰＩ領域のヌメロロジが、ＵＥによって使用されるヌメロロジとは異なる場合、ＰＩ領域の時間周波数ロケーションと、プリエンプトされた時間周波数リソースについてであり、ＰＩによって示されるロケーションとのいずれも、ＵＥのヌメロロジに基づいて判定されることが不可能である。しかしながら、ＰＩ領域の時間周波数範囲は、ＰＩ領域のヌメロロジに基づいて判定され得、プリエンプトされた時間周波数リソースの範囲は、ＰＩによって示されるコンテンツを参照してさらに判定され得る。たとえば、ＰＩ領域のヌメロロジにおけるＳＣＳは６０ｋＨｚであり、示されるプリエンプトされた時間周波数ロケーションは、周波数Ａから開始している１０個の連続リソースブロック（ｒｅｓｏｕｒｃｅ  ｂｌｏｃｋ、ＲＢ）、および瞬間ｔから開始している４つの連続シンボルであり、ＵＥ１は１５ｋＨｚのＳＣＳを使用する。この事例では、ＵＥ１について、プリエンプトされた時間周波数ロケーションは、周波数Ａから開始している４０個のＲＢ、および瞬間ｔから開始している１つのシンボルである。
【００８３】
（ＩＶ）ＰＩ領域中の不連続な時間周波数リソース
【００８４】
ＰＩ領域中の時間周波数リソースは不連続であり得る。たとえば、いくつかの時間周波数リソースは、ｅＭＢＢ制御情報またはサービスデータに専用であり、ＵＲＬＬＣサービスデータによってプリエンプトされることが不可能な時間周波数リソースである。この事例では、ＰＩ領域は、プリエンプトされることが不可能な時間周波数リソースを含まないことがある。
【００８５】
特に、図４Ａに示されているように、７つの時間ドメインシンボルをもつスロットの最初の２つの時間ドメインシンボルは、ｅＭＢＢ制御情報を伝送するために使用され、ＵＲＬＬＣサービスデータによってプリエンプトされることが不可能であるｅＭＢＢ制御領域であり、ＰＩ領域の時間ドメイン範囲は２つのスロットである、と仮定される。この事例では、１０個の時間ドメインシンボルが、ＰＩ領域中で実際にプリエンプトされることが可能であり、これら１０個の時間ドメインシンボルは、時間において離散的である。本出願においてプリエンプトされることが不可能なリソースは、代替としてＬＴＥにおける使用のために予約され得るか、または干渉管理リソースであり得ることが理解されよう。
【００８６】
図４Ｂに示されているように、ＰＩ領域の周波数ドメイン範囲内で、いくつかの周波数ドメインリソースは、ｅＭＢＢデータ伝送のためにのみ使用されるように構成され、ＵＲＬＬＣデータ伝送のために使用されることが不可能である。この事例では、ＰＩ領域は、それらの周波数ドメインリソースを含まないことがある。
【００８７】
上記の２つの事例は合成され得る。図４Ｃに示されているように、ＰＩ領域は、ｅＭＢＢデータ伝送のためにのみ使用される領域と、ｅＭＢＢ制御情報による使用のために予約される領域の両方を含む。より一般的には、図４Ｄに示されているように、プリエンプトされることが不可能な時間周波数リソースは、ＰＩ領域の時間周波数領域内で離散的に分配される。
【００８８】
ＰＩ領域中にプリエンプトされることが不可能な時間周波数リソースがあるとき、シグナリングまたはシステムにおいて事前定義されたＰＩ領域を使用することによって端末デバイスのためにネットワークデバイスによって構成されるＰＩ領域は、プリエンプトされることが不可能な時間周波数リソースを含む連続的時間周波数リソースのセグメントであり得る。端末デバイスは、システム中の事前定義に基づいて、プリエンプトされることが不可能な時間周波数リソースについて知り得る。端末デバイスは、代替として、ネットワークデバイスによって送信されたシグナリングを使用することによって、プリエンプトされることが不可能な時間周波数リソースを取得し得る。
【００８９】
ＰＩ領域の時間周波数領域が、プリエンプトされることが不可能な時間周波数リソースを含むとき、ＰＩ領域は、２つの異なる処理方式でサブ領域に分割される。一方の処理方式では、プリエンプトされることが不可能な時間周波数リソースは無視され、ＰＩ領域に対応する連続的時間周波数リソースがセグメント化されて、複数のサブ領域が取得される。他方の処理方式では、プリエンプトされることが不可能な時間周波数リソースが除去された後に、ＰＩ領域中のプリエンプトされることが可能な時間周波数リソースがセグメント化されて、複数のサブ領域が取得される。たとえば、図４Ｄでは、ＰＩが、時間周波数リソースがプリエンプトされるかどうかを示すとき、図４Ｄ中のプリエンプトされることが可能なリソースおよびプリエンプトされることが不可能なリソースにそれぞれ対応するために９ビットが使用されて、時間周波数リソースがプリエンプトされるかどうかが示され得る。この事例では、３ビットが冗長である。各ビットにおいて、１は「プリエンプトされる」を示し、０は「プリエンプトされない」を示すか、または１は「プリエンプトされない」を示し、０は「プリエンプトされる」を示す。代替として、ＰＩが、時間周波数リソースがプリエンプトされるかどうかを示すとき、図４Ｄ中のプリエンプトされることが可能なリソースがプリエンプトされるかどうかをそれぞれ示すために６ビットが使用され得る。端末デバイスは、ＰＩ領域中のプリエンプトされることが可能なリソースとプリエンプトされることが不可能なリソースとの分割ステータスに基づいて、ＰＩ中のリソースインジケーション部分中に含まれるビットの量を判定し得る。上記の例では、プリエンプトされることが不可能なリソースを含むＰＩが使用される場合、９ビットが使用されるか、またはプリエンプトされることが不可能なリソースを除外したＰＩが使用される場合、６ビットが使用される。特に、ＰＩによって使用されるインジケーション方式、および示される時間周波数リソースが、プリエンプトされることが不可能なリソースを含むかどうかは、システムにおいて事前定義され得るか、またはシグナリングを使用することによってネットワークデバイスによって端末デバイスに通知され得る。
【００９０】
本明細書では、プリエンプトされることが不可能な時間周波数リソースは、ダウンリンクデータ伝送のためにプリエンプトされることが不可能な時間周波数リソースである。特に、プリエンプトされることが不可能な時間周波数リソースは、ＰＤＣＣＨを伝送するために使用される時間周波数リソース、時分割複信（ｔｉｍｅ  ｄｉｖｉｓｉｏｎ  ｄｕｐｌｅｘ、ＴＤＤ）シナリオにおいて構成されたアップリンクシンボル、ダウンリンク伝送からアップリンク伝送に切り替わるためのＴＤＤシナリオにおいて構成されたギャップ（ＧＡＰ）シンボル、ＴＤＤシナリオにおいて構成された未知（ｕｎｋｎｏｗｎ）のシンボル、およびシステム中で構成された予約済みリソースという時間周波数リソースのうちの少なくとも１つを含み得る。
【００９１】
ＴＤＤシナリオでは、ＵＥは、２つのタイプのシグナリングを使用することによってスロット構成を取得し得る。一方のタイプは、セル固有（ｃｅｌｌ−ｓｐｅｃｉｆｉｃ）シグナリング、たとえば、ＲＲＣブロードキャストメッセージおよび／またはセル共通ＤＣＩであり、他方のタイプは、ＵＥ固有（ＵＥ−ｓｐｅｃｉｆｉｃ）シグナリング、たとえば、ＵＥ固有ＲＲＣシグナリングおよび／またはＵＥ固有ＤＣＩである。本明細書でのスロット構成は、シンボルがアップリンク伝送のために使用されるかダウンリンク伝送のために使用されるか、またはシンボルがＧＡＰシンボルであるかどうか、またはシンボルが未知のシンボルであるかどうかという、スロット中の各シンボルの構成を含み得る。ＵＥ固有シグナリングは、特定のＵＥによってのみ受信されることが可能である。したがって、ＰＩ領域のために、ＵＥ固有スロット構成は、ＰＩ領域を定義するための参照として使用されることが不可能である。ネットワークデバイスまたは端末デバイスが、ＰＩ領域を定義するための参照としてＵＥ固有スロット構成を使用した場合、たとえば、ＵＥ固有シグナリング中で構成されたアップリンクシンボルがＰＩ領域から除外された場合、異なるＵＥは、ＰＩ領域について異なる理解を有する。結果的に、ネットワークデバイスは、共通ＤＣＩを使用することによって、ＰＩ領域中のプリエンプトされたリソースのロケーションを通知することができない。したがって、ＰＩ領域のために、セル固有スロット構成のみが、ＰＩ領域を定義するための参照として使用されることが可能であり、セル固有シグナリング中で構成されたアップリンクシンボルはＰＩ領域から除外され得るか、またはセル固有シグナリング中で構成されたＧＡＰシンボルはＰＩ領域から除外され得るか、またはセル固有シグナリング中で構成された未知のシンボルはＰＩ領域から除外され得る。
【００９２】
セル固有シグナリング中に以下の構成があると仮定される。スロット中の０から１３の番号を付された１４個のシンボルにおいて、０から４および７から１１の番号を付された１０個のシンボルはダウンリンクシンボルであり、５および１２の番号を付されたシンボルはＧＡＰシンボルであり、６および１３の番号を付されたシンボルはアップリンクシンボルである。この事例では、ネットワークデバイスおよび端末デバイスは、ＰＩ領域から６および１３の番号を付されたアップリンクシンボルを除外し得、ＰＩ領域から５および１２の番号を付されたＧＡＰシンボルをさらに除外し得る。
【００９３】
実施形態２：固定ビット長さをもつＰＩの設計
【００９４】
異なるＰＩ領域サイズのために固定ＰＩビット長さが使用される場合、ＵＥがＤＣＩをブラインド検出する回数の量が低減されることが可能である。ＰＩはＤＣＩを使用することによって搬送されるので、ＰＩのビット長さがＰＩ領域とともに変化するとき、ＵＥは、ネットワークデバイスがＰＩを送信するかどうかを判定するために、異なる長さを有するＤＣＩを別々にブラインド検出する必要がある。本出願では、ＰＩ領域は第１の時間周波数リソースとも呼ばれる。ＰＤＣＣＨ上で搬送されるＤＣＩのコンテンツがＰＩのみを含むとき、ＰＩはＰＤＣＣＨを使用することによって搬送されることも理解されよう。この事例では、ＰＩとＤＣＩとの間で等価交換が行われ得る。
【００９５】
方法（Ｉ）
【００９６】
ＰＩがフィールドＡを含む。フィールドＡは、プリエンプトされた時間周波数リソースＢを示すために使用され、フィールドＡの長さは、固定のｍビットである。フィールドＡがどのように時間周波数リソースＢを示すかについて以下で説明される。
【００９７】
（１）ＰＩ領域がｍ個のサブ領域（ｓｕｂ−ｒｅｇｉｏｎ）にセグメント化され、フィールドＡ中のビットは、ｍ個のサブ領域と１対１の対応にあり、サブ領域中の情報伝送が影響を受けるかどうかを示すために使用され、ｍは正の整数である。フィールドＡにおいて、ビットの値が１であるとき、それは、対応するサブ領域がプリエンプトされることを示すか、もしくはビットの値が０であるとき、それは、対応するサブ領域がプリエンプトされないことを示すか、またはビットの値が０であるとき、それは、対応するサブ領域がプリエンプトされることを示すか、もしくはビットの値が１であるとき、それは、対応するサブ領域がプリエンプトされないことを示す。ｍが１に等しいとき、それは、パンクチャがＰＩ領域中で行われるかどうかを示すために１ビットが使用されることを示す。たとえば、１は、ＰＩ領域全体がパンクチャされることを示し、０は、ＰＩ領域全体がパンクチャされないことを示すか、または１は、パンクチャがＰＩ領域中で行われることを示し、０は、パンクチャが行われないことを示す。もちろん、０と１の意味は交換されてよい。本明細書では、情報伝送が影響を受けることは、情報伝送のための伝送リソースが他の情報伝送によってプリエンプトされるか、または情報伝送が他の情報伝送によって干渉されることを含む。本出願では、情報伝送が影響を受けることと、情報伝送のための伝送リソースがプリエンプトされることは交換されてよい。本明細書での情報伝送は、データ伝送、シグナリング伝送、基準信号伝送などを含む。
【００９８】
（２）特に、ＰＩ領域が、以下のセグメント化方法でｍ個のサブ領域にセグメント化され得る。
【００９９】
（２．１）セグメント化が時間ドメイン中でのみ実施される
【０１００】
ｎ個の第３の時間ユニットがＰＩ領域中にあり、ｎは正の整数であり、第３の時間ユニットは、時間ドメインシンボル、ミニスロット、スロット、サブフレーム、または別の時間ドメイン長さをもつ時間ユニットであり得る、と仮定される。ＰＩ領域は、時間ドメイン中でｍｉｎ（ｎ，ｍ）個の第２の時間ユニットに分割され、ｍビットの各々は、ＰＩ領域中の１つの第２の時間ユニット上の情報伝送が影響を受けるかどうかを示すために使用され、ｍｉｎ（ｎ，ｍ）は、ｎおよびｍの最小値を選択することを示す。本明細書での第２の時間ユニットはサブ領域である。
【０１０１】
特に、ｎがｍよりも小さいとき、ＰＩ領域は、ｎ個の第２の時間ユニットに分割され、各第２の時間ユニットは、１つの第３の時間ユニットに対応する。フィールドＡにおいて、ｎビットは、ｎ個の第２の時間ユニットの時間周波数リソースがプリエンプトされるかどうかを示すために使用される。たとえば、フィールドＡ中の最初のｎビットは、ｎ個の第２の時間ユニットの時間周波数リソースがプリエンプトされるかどうかを示すために使用され、フィールドＡ中の最後のｍ−ｎビットは、デフォルト値に設定され、特定の意味を有しない。
【０１０２】
ｎ＝ｋ＊ｍであるとき、ＰＩ領域は、ｍ個の第２の時間ユニットに分割され、各第２の時間ユニットは、ｋ個の第３の時間ユニットに対応し、ｍビットの各々は、１つの第２の時間ユニットの時間周波数リソースがプリエンプトされるかどうかを示すために使用され、ｋは正の整数である。
【０１０３】
ｎ＝ｋ＊ｍ＋ｒであり、ｋおよびｒが正の整数であり、ｒがｍよりも小さいとき、ＰＩ領域は、ｍ個の第２の時間ユニットに分割され、ｍ−ｒ個の第２の時間ユニットは、ｋ個の第３の時間ユニットに対応し、ｒ個の第２の時間ユニットは、ｋ＋１個の第３の時間ユニットに対応する。たとえば、最初のｍ−ｒ個の第２の時間ユニットは、ｋ個の第３の時間ユニットに対応し、最後のｒ個の第２の時間ユニットは、ｋ＋１個の第３の時間ユニットに対応するか、または最初のｒ個の第２の時間ユニットは、ｋ＋１個の第３の時間ユニットに対応し、最後のｍ−ｒ個の第２の時間ユニットは、ｋ個の第３の時間ユニットに対応する。ｍビットの各々は、１つの第２の時間ユニットの時間周波数リソースがプリエンプトされるかどうかを示すために使用される。
【０１０４】
（２．２）セグメント化が周波数ドメイン中でのみ実施される
【０１０５】
これは、時間ドメイン中でのみセグメント化を実施する解決策と同様であり、詳細について本明細書で説明されない。
【０１０６】
（２．３）セグメント化が時間ドメインと周波数ドメインの両方中で実施され、すなわち、ＰＩ領域が、時間次元と周波数次元の両方中でｍ個のサブ領域に分割される。本明細書でのサブ領域は、第２の時間周波数リソースとも呼ばれる。
【０１０７】
ＰＩ領域は、ｆ個の周波数ドメインユニットおよびｎ個の第３の時間ユニットを含むと仮定される。本明細書での周波数ドメインユニットは、サブキャリア、ＲＢ、ＲＢグループ、または少なくとも２つのＲＢからなる別の周波数ドメインユニットであってよく、ｆとｎの両方は正の整数である。この事例では、ＰＩ領域は、ｆ＊ｎ個の時間周波数ユニットを含み、各時間周波数ユニットは、１つの第３の時間ユニット上の周波数ドメインユニットに対応する。ＰＩ領域中の時間周波数ユニットは、シーケンスで番号を付されてよい。番号付けは、最初に時間ドメイン中で、次いで周波数ドメイン中で実施され得るか、または最初に周波数ドメイン中で、次いで時間ドメイン中で実施され得る。これは本出願では限定されない。
【０１０８】
ｆ＊ｎがｍよりも小さいとき、ｆ＊ｎ個のサブ領域の各々は、１つの時間周波数ユニットに対応する。たとえば、最初のｆ＊ｎ個のサブ領域の各々は、１つの時間周波数ユニットに対応し、フィールドＡ中の最初のｆ＊ｎビットは、ｆ＊ｎ個の時間周波数ユニット上の情報伝送が影響を受けるかどうかを示すために使用され、フィールドＡ中の最後のｍ−ｆ＊ｎビットは、デフォルト値に設定され、特定の意味を有しない。
【０１０９】
ｆ＊ｎ＝ｋ＊ｍであるとき、ｍ個のサブ領域の各々は、ｋ個の時間周波数ユニットに対応し、ｋは正の整数である。
【０１１０】
ｆ＊ｎ＝ｋ＊ｍ＋ｒであり、ｋおよびｒが正の整数であり、ｒがｍよりも小さいとき、ｍ個のサブ領域中で、ｍ−ｒ個のサブ領域は、ｋ個の時間周波数ユニットに対応し、ｒ個のサブ領域は、ｋ＋１個の時間周波数ユニットに対応する。たとえば、ｍ個のサブ領域中の最初のｍ−ｒ個のサブ領域は、ｋ個の時間周波数ユニットに対応し、ｍ個のサブ領域中の最後のｒ個のサブ領域は、ｋ＋１個の時間周波数ユニットに対応するか、またはｍ個のサブ領域中の最初のｒ個のサブ領域は、ｋ＋１個の時間周波数ユニットに対応し、ｍ個のサブ領域中の最後のｍ−ｒ個のサブ領域は、ｋ個の時間周波数ユニットに対応する。
【０１１１】
可能な実装では、表１に示されている、ＰＩ領域の時間ドメイン長さと、ＰＩ領域の時間ドメインセグメント化グラニュラリティとの間のマッピング関係が、システムにおいて事前定義される。本出願におけるシンボルは、時間ドメインシンボルであり、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルまたは離散フーリエ変換拡散直交周波数分割多重化（ｄｉｓｃｒｅｔｅ  ｆｏｕｒｉｅｒ  ｔｒａｎｓｆｏｒｍ  ｓｐｒｅａｄ  ＯＦＤＭ、ＤＦＴ−ｓ−ＯＦＤＭ）シンボルであり得る。
【０１１２】
【表１】
0006985430.tif 000002
【０１１３】
フィールドＡおよびＰＩは固定ビット長さを有するので、固定サイズのＰＩ領域のために、ＰＩ領域が周波数ドメイン中で細かく分割された場合、ＰＩ領域は時間ドメイン中で粗く分割され、反対に、ＰＩ領域が周波数ドメイン中で粗く分割された場合、ＰＩ領域は時間ドメイン中で相対的に細かく分割される。
【０１１４】
ＰＩ領域は、複数の異なるセグメント化方法を使用することによってｍ個のサブ領域にセグメント化され得るので、ネットワークデバイスおよびＵＥがセグメント化方法について首尾一貫した理解を有するように、使用されるべきセグメント化方法をさらに判定するためのポリシーが必要とされる。可能なポリシーでは、ネットワークデバイスおよびＵＥがセグメント化方法について首尾一貫した理解を有するように、セグメント化方法を判定するためのルールＡがシステムにおいて事前定義される。別の可能なポリシーでは、ネットワークデバイスおよびＵＥがセグメント方法について首尾一貫した理解を有するように、ネットワークデバイスは、ルールＢに従ってセグメント化方法を判定し、次いで、シグナリングを使用することによってセグメント化方法をＵＥに通知する。本明細書でのシグナリングは、ＲＲＣシグナリング、ＭＡＣレイヤシグナリング、または物理レイヤシグナリングであり得る。ルールＡおよびルールＢにおいて考慮されるファクタは、ＰＩ領域の周波数ドメイン幅、ＰＩ領域の周波数ドメインセグメント化グラニュラリティ（すなわち、上記の周波数ドメインユニット）、ＰＩ領域の時間ドメイン長さ、ＰＩ領域の時間ドメインセグメント化グラニュラリティ（すなわち、上記の第３の時間ユニット）、およびＰＩ領域の時間周波数領域サイズのうちの少なくとも１つを含み得る。
【０１１５】
たとえば、ＰＩ領域の時間ドメイン長さがしきい値Ａよりも大きいとき、セグメント化が時間ドメイン中でのみ実施されるセグメント化方法が選択されるか、またはＰＩ領域の時間ドメイン長さがしきい値Ａ以下であるとき、セグメント化が時間ドメインと周波数ドメインの両方中で実施されるセグメント化方法が選択される。
【０１１６】
別の例では、ＰＩ領域の時間周波数領域サイズがしきい値Ｂよりも小さいとき、セグメント化が時間ドメインと周波数ドメインの両方中で実施される方法が選択され、相対的に小さい時間ドメインセグメント化グラニュラリティＢおよび周波数ドメインセグメント化グラニュラリティＢが選択されるか、またはＰＩ領域の時間周波数領域サイズがしきい値Ｂ以上でしきい値Ｃ未満であるとき、セグメント化が時間ドメインと周波数ドメインの両方中で実施される方法が選択され、中間の時間ドメインセグメント化グラニュラリティＣおよび周波数ドメインセグメント化グラニュラリティＣが選択されるか、またはＰＩ領域の時間周波数領域サイズがしきい値Ｃ以上であるとき、セグメント化が時間ドメインと周波数ドメインの両方中で実施される方法が選択され、相対的に大きい時間ドメインセグメント化グラニュラリティＤおよび周波数ドメインセグメント化グラニュラリティＤが選択される。ＰＩ領域の時間周波数領域サイズはＰＩ領域の時間ドメイン長さおよび周波数ドメイン幅に基づいて取得され得るので、セグメント化方法も、ＰＩ領域の時間ドメイン長さと周波数ドメイン幅の両方の値に基づいて判定され得る。
【０１１７】
表２は、ＰＩ領域の周波数ドメイン幅およびＰＩ領域の時間ドメイン長さに基づいてセグメント化方法を選択するための可能な選択ポリシーの表である。表２中の各セルの値は例にすぎず、特定の考慮ファクタおよび選択ポリシーが実際の要件に従って設計されてよく、本出願では限定されない。本出願では、特定の実装中に、表は、表の形態であり得るか、またはプログラミング言語Ｃ言語における「ｉｆ  ｅｌｓｅ」、「ｓｗｉｔｃｈ  ｃａｓｅ」などと同様の分岐選択および判断ステートメントを使用することによって実装され得る。実際の要件に従ってセグメント化方法をフレキシブルに選択するこの解決策は、様々な可能なシナリオにフレキシブルに適応して、ＰＩインジケーション効率を最大化し得る。
【０１１８】
【表２】
0006985430.tif 000003
【０１１９】
（２．４）独立したセグメント化が時間ドメインおよび周波数ドメイン中で実施される
【０１２０】
ＰＩ領域は、ｆ個の周波数ドメインユニットおよびｎ個の第３の時間ユニットを含むと仮定される。ネットワークデバイスおよび／または端末デバイスは、ＰＩ領域中のｎ個の第３の時間ユニットをｍ１個の第２の時間ユニットに分割し、ｍ１は正の整数であり、また、ＰＩ領域中のｆ個の周波数ドメインユニットをｎ１個の第２の周波数ドメインユニットに分割し、ｎ１は正の整数である。ＰＩ領域は、ｍ１＊ｎ１個の第２の時間周波数ユニットに分割され、各第２の時間周波数ユニットは、１つの第２の時間ユニット上の第２の周波数ドメインユニットに対応する。
【０１２１】
たとえば、ＰＩ領域は、１４個のシンボルおよび１００個のＲＢを含み、ＰＩ領域は、時間ドメイン中で７つの第２の時間ユニットに分割され、各第２の時間ユニットは、２つのシンボルに対応し、ＰＩ領域は、周波数ドメイン中で２つの第２の周波数ドメインユニットに分割され、各第２の周波数ドメインユニットは、５０個のＲＢに対応する。ＰＩ領域は、１４個の第２の時間周波数ユニットに分割され、各第２の時間周波数ユニットは、２つのシンボル上の５０個のＲＢに対応する。
【０１２２】
特に、ネットワークデバイスおよび／または端末デバイスがどのようにＰＩ領域中のｎ個の第３の時間ユニットをｍ１個の第２の時間ユニットに分割するかは、（２．１）における関係する説明を参照することによって直接取得され得る。ネットワークデバイスおよび／または端末デバイスがどのようにＰＩ領域中のｆ個の周波数ドメインユニットをｎ１個の第２の周波数ドメインユニットに分割するかは、（２．２）における関係する説明を参照することによって直接取得され得る。
【０１２３】
ｍビットの長さをもつフィールドＡは、ｍ１＊ｎ１個の第２の時間周波数ユニットがプリエンプトされるかどうかを示すために使用される。特定のインジケーション方法は次の通りである。
【０１２４】
ｍ＝ｍ１＊ｎ１であるとき、フィールドＡ中の各ビットは、１つの第２の時間周波数ユニットがプリエンプトされるかどうかを示すために使用される。
【０１２５】
ｍ＜（ｍ１＊ｎ１）であるとき、ｍ１＊ｎ１＝ｑ１＊ｍ＋ｑ２であることが示され得、ｑ１およびｑ２は正の整数であり、ｑ２はｍよりも小さい。フィールドＡ中のｍ−ｑ２ビットのすべては、ｑ１個の第２の時間周波数ユニットがプリエンプトされるかどうかを示すためにそれぞれ使用され、フィールドＡ中のｑ２ビットのすべては、ｑ１＋１個の第２の時間周波数ユニットがプリエンプトされるかどうかを示すためにそれぞれ使用される。たとえば、フィールドＡ中の最初のｍ−ｑ２ビットのすべては、ｑ１個の第２の時間周波数ユニットがプリエンプトされるかどうかを示すためにそれぞれ使用され、フィールドＡ中の最後のｑ２ビットのすべては、ｑ１＋１個の第２の時間周波数ユニットがプリエンプトされるかどうかを示すためにそれぞれ使用されるか、またはフィールドＡ中の最後のｍ−ｑ２ビットのすべては、ｑ１個の第２の時間周波数ユニットがプリエンプトされるかどうかを示すためにそれぞれ使用され、フィールドＡ中の最初のｑ２ビットのすべては、ｑ１＋１個の第２の時間周波数ユニットがプリエンプトされるかどうかを示すためにそれぞれ使用される。
【０１２６】
ｍ＞（ｍ１＊ｎ１）であるとき、フィールドＡ中のｍ１＊ｎ１ビットは、ｍ１＊ｎ１個の第２の時間周波数ユニットがプリエンプトされるかどうかを示すために使用される。たとえば、フィールドＡ中の最初のｍ１＊ｎ１ビットの各々は、ｍ１＊ｎ１個の第２の時間周波数ユニットのうちの１つがプリエンプトされるかどうかを示すために使用され、フィールドＡ中の最後のｍ−（ｍ１＊ｎ１）ビットは、デフォルト値に設定され、特定の意味を有しないことがあるか、またはフィールドＡ中の最後のｍ１＊ｎ１ビットの各々は、ｍ１＊ｎ１個の第２の時間周波数ユニットのうちの１つがプリエンプトされるかどうかを示すために使用され、フィールドＡ中の最初のｍ−（ｍ１＊ｎ１）ビットは、デフォルト値に設定され、特定の意味を有しないことがある。
【０１２７】
ｍ１＊ｎ１個の第２の時間周波数ユニットは、最初に時間ドメイン中で、次いで周波数ドメイン中で番号を付されるか、または最初に周波数ドメイン中で、次いで時間ドメイン中で番号を付され得る。説明のために、ＰＩ領域が時間ドメイン中で７つの第２の時間ユニットに分割され、周波数ドメイン中で２つの第２の周波数ドメインユニットに分割される例が使用される。第２の周波数ドメインユニット、第２の時間ユニット、および第２の時間周波数ユニットの番号は０または１から開始し得る。本明細書では、説明のために、番号付けが０から開始して実施される例が使用される。第２の時間周波数ユニットが、最初に周波数ドメイン中で、次いで時間ドメイン中で番号を付けられたとき、０の番号を付された第２の時間ユニットは、０および１の番号を付された２つの第２の時間周波数ユニットに対応し、１の番号を付された第２の時間ユニットは、２および３の番号を付された２つの第２の時間周波数ユニットに対応し、残りはアナロジーによって推論され得る。０の番号を付された第２の時間周波数ユニットは、大きい周波数値をもつ第２の時間周波数ユニットに対応し得るか、または小さい周波数値をもつ第２の時間周波数ユニットに対応し得る。これは本出願では限定されない。第２の時間周波数ユニットが、最初に時間ドメイン中で、次いで周波数ドメイン中で番号を付されたとき、０の番号を付された第２の周波数ドメインユニットは、０から６の番号を付された７つの第２の時間周波数ユニットに対応し、１の番号を付された第２の周波数ドメインユニットは、７から１３の番号を付された７つの第２の時間周波数ユニットに対応する。０の番号を付された第２の周波数ドメインユニットは、大きい周波数値をもつ第２の周波数ドメインユニットに対応し得るか、または小さい周波数値をもつ第２の周波数ドメインユニットに対応し得る。これは本出願では限定されない。
【０１２８】
方法（ＩＩ）
【０１２９】
プリエンプションインジケーション精度を改善し、端末デバイスが、低いプリエンプションインジケーション精度により、有用なデータを廃棄する確率を低減するために、プリエンプションが行われるサブ領域は、最初にＰＩ中で示されてよく、次いで、サブ領域はさらにセグメント化されて複数のミニ領域（ｍｉｎｉ−ｒｅｇｉｏｎ）が取得され、サブ領域中のプリエンプトされたミニ領域が示される。
【０１３０】
特に、ＰＩは、プリエンプトされたサブ領域を示すために使用される、フィールドＢを含む。フィールドＢはインジケーションフィールド（ｉｎｄｉｃａｔｉｏｎ  ｆｉｅｌｄ）と呼ばれることもある。どのようにＰＩ領域を複数のサブ領域にセグメント化すべきかに関する詳細については、方法（Ｉ）における関係する説明を参照されたい。たとえば、ＰＩ領域は１６個のサブ領域にセグメント化され、６番目のサブ領域中の時間周波数リソースの部分または全部がプリエンプトされる場合、インジケーションフィールドの値は６である。本出願では、様々な番号の値は、特定の番号付け方法に関係することに留意されたい。たとえば、番号は０または１から開始し得る。番号が１から開始する場合、６番目のサブ領域の番号は６であるか、または番号が０から開始する場合、６番目のサブ領域の番号は５である。対応して、６番目のサブ領域中の時間周波数リソースの部分または全部がプリエンプトされるとき、インジケーションフィールドの値は、番号付け方法に特に依存する、５または６であり得る。これは本出願では限定されない。フィールドＢによって示されるサブ領域はターゲットサブ領域と呼ばれることもある。
【０１３１】
任意選択で、ＰＩは、フィールドＣおよびフィールドＤをさらに含み得る。フィールドＣは、ターゲットサブ領域中のセグメント化方法を示すために使用され、フィールドＤは、サブ領域中のプリエンプトされたミニ領域を示すために使用される。フィールドＣは任意選択フィールド（ｏｐｔｉｏｎ  ｆｉｅｌｄ）と呼ばれることもある。フィールドＤは、Ｌビットの長さをもつビットマップを使用することによって、プリエンプトされたミニ領域を示し得、Ｌは正の整数である。
【０１３２】
図４Ｅは、本出願の実施形態によるＰＩ領域セグメント化方法を示す。図４Ｅに示されているように、ＰＩ領域は１６個のサブ領域に分割され、６番目のサブ領域中の時間周波数リソースの部分または全部がプリエンプトされる。この事例では、ＰＩ中のフィールドＢは、６番目のサブ領域がプリエンプトされることを示すために使用され、フィールドＣは、６番目のサブ領域が２＊２方式でセグメント化されて４つのミニ領域が取得されることを示すために使用され、フィールドＤは、４ビットを使用することによって、６番目のサブ領域中の４つのミニ領域中のプリエンプトされたミニ領域を示す。本出願では、Ｐ＊Ｑセグメント化方式は、セグメント化されるべき領域が、時間ドメイン中でＰ個の部分に分割され、周波数ドメイン中でＱ個の部分に分割されることを意味し、ＰおよびＱは正の整数である。
【０１３３】
表２Ａは、フィールドＢ、フィールドＣ、およびフィールドＤのビット長さの例であり、フィールドＢおよびフィールドＣはそれぞれ２ビットであり、フィールドＤは１４ビットである。２ビットのフィールドＣは、２＊７、７＊２、３＊４、および４＊３という、４つのセグメント化方式のうちの１つを示すために使用される。
【０１３４】
【表３】
0006985430.tif 000004
【０１３５】
フィールドＤのビット長さＬがターゲットサブ領域中のミニ領域の量に等しい、すなわち、Ｌ＝Ｐ＊Ｑであるとき、フィールドＤ中のビットは、ターゲットサブ領域中のミニ領域と１対１の対応にある。たとえば、フィールドＣが、２＊７または７＊２セグメント化方式が使用されることを示すとき、フィールドＤ中の１４ビットは、ターゲットサブ領域中の１４個のミニ領域と１対１の対応にある。
【０１３６】
フィールドＤのビット長さＬがターゲットサブ領域中のミニ領域の量よりも大きい、すなわち、Ｌ＞Ｐ＊Ｑであるとき、フィールドＤ中の最初のＰ＊Ｑビットまたは最後のＰ＊Ｑビットは、ターゲットサブ領域中のＰ＊Ｑ個のミニ領域と１対１の対応にある。たとえば、フィールドＣが、３＊４または４＊３セグメント化方式が使用されることを示すとき、フィールドＤ中の最初の１２ビットまたは最後の１２ビットは、ターゲットサブ領域中の１２個のミニ領域と１対１の対応にあり、残りの２ビットは予約済みビットとして使用される。
【０１３７】
フィールドＤのビット長さＬがターゲットサブ領域中のミニ領域の量よりも小さい、すなわち、Ｌ＜Ｐ＊Ｑであるとき、Ｐ＊Ｑ個のミニ領域のうちのいくつかは、インジケーションのためにフィールドＤ中の１ビットを共有する。特に、Ｐ＊Ｑ＝ｕ＊Ｌ＋ｖであり、ｕは正の整数であり、ｖは０以上の整数である、と仮定される。この事例では、ターゲットサブ領域中のｖ＊（ｕ＋１）個のミニ領域中のｕ＋１個ごとのミニ領域が、フィールドＤ中の１ビットに対応し、残りのミニ領域中のｕ個ごとのミニ領域が、フィールドＤ中の１ビットに対応する。たとえば、フィールドＣが、３＊５または５＊３セグメント化方式が使用されることを示すとき、ターゲットサブ領域中の最初の９つのミニ領域は、フィールドＤ中の１ビットにそれぞれ対応し、ターゲットサブ領域中の最後の６つのミニ領域中の２つごとのミニ領域が、フィールドＤ中の１ビットに対応する。
【０１３８】
フィールドＢ、フィールドＣ、およびフィールドＤのビット長さはすべて固定であり、したがって、ＰＩを受信した後に、端末デバイスは、パースを介してこれら３つのフィールドの値を別々に取得し得る。いくつかのシナリオでは、フィールドＢ、フィールドＣ、およびフィールドＤの長さは、代替として、実際の適用シナリオに基づいて動的に変化して、ＰＩインジケーション精度を最大化し、それにより、端末デバイスがＰＩを受信した後に端末デバイスによって廃棄される有効なデータの量を低減し、データ伝送レートを改善し得る。
【０１３９】
任意選択で、ＰＩは、ＰＩフォーマットを示すために使用される、フィールドＥをさらに含み得る。ＰＩフォーマットは、フィールドＢが存在するかどうか、およびフィールドＢのビット長さ、フィールドＣが存在するかどうか、およびフィールドＣのビット長さ、ならびにフィールドＤのビット長さを含み得る。特に、フィールドＥは、フィールドＢ、フィールドＣ、およびフィールドＤのビット長さを動的に示すために使用され得る。フィールドＥはフォーマットインジケーションフィールドと呼ばれることもある。端末デバイスがＰＤＣＣＨをブラインド検出する回数の量を低減するために、フィールドＢ、フィールドＣ、フィールドＤ、およびフィールドＥの合計長さは固定値であり得る。表２Ｂに示されているように、フィールドＢ、フィールドＣ、フィールドＤ、およびフィールドＥの合計長さは２３ビットであり、フィールドＥの長さは２ビットであり、フィールドＢ、フィールドＣ、およびフィールドＤの長さの和は２１ビットである。フィールドＥの値が０であるとき、ＰＩは、フィールドＤを含むが、フィールドＢとフィールドＣとのいずれも含まず、この事例では、フィールドＤの長さは２１ビットであり、フィールドＤは、ＰＩ領域中のサブ領域中のリソースがプリエンプトされるかどうかを示すために使用される。フィールドＥの値が１であるとき、ＰＩは、フィールドＢおよびフィールドＤを含むが、フィールドＣを含まず、フィールドＢの長さは２ビットであり、フィールドＤの長さは１９ビットである。フィールドＥの値が２であるとき、ＰＩは、フィールドＣおよびフィールドＤを含み、フィールドＣの長さは２ビットであり、フィールドＤの長さは１９ビットであり、この事例では、フィールドＣは、ＰＩ領域をサブ領域にセグメント化するセグメント化方式を示し、フィールドＤは、ＰＩ領域中のサブ領域中のリソースがプリエンプトされるかどうかを示すために使用される。フィールドＥの値が３であるとき、ＰＩは、フィールドＢ、フィールドＣ、およびフィールドＤを含み、フィールドＢの長さは２ビットであり、フィールドＣの長さは２ビットであり、フィールドＤの長さは１７ビットである。
【０１４０】
【表４】
0006985430.tif 000005
【０１４１】
任意選択で、ＰＩフォーマットは、異なる無線ネットワーク一時識別子（ｒａｄｉｏ  ｎｅｔｗｏｒｋ  ｔｅｍｐｏｒａｒｙ  ｉｄｅｎｔｉｆｉｅｒ、ＲＮＴＩ）を使用することによって区別されてよく、すなわち、ＤＣＩのサイクリック冗長コード（ｃｙｃｌｉｃ  ｒｅｄｕｎｄａｎｃｙ  ｃｏｄｅ、ＣＲＣ）が、異なるＲＮＴＩを使用することによってスクランブルされ、ＤＣＩはＰＩを含む。本方法によれば、インジケーション精度を変更することなしにＰＩのペイロードが２ビットだけ低減されることが可能であるか、またはプリエンプトされた領域を効果的に示すために使用されるビットの量が２ビットだけ増加されて、ＰＩインジケーション精度が改善される。表２Ｃに示されているように、ＲＮＴＩ０、ＲＮＴＩ１、ＲＮＴＩ２、およびＲＮＴＩ３は、異なるフォーマットにおけるＰＩをそれぞれ示し、すなわち、フィールドＢ、フィールドＣ、およびフィールドＤの長さの異なる値を示す。
【０１４２】
【表５】
0006985430.tif 000006
【０１４３】
代替として、ＰＩフォーマットは、ＰＩを搬送するための時間周波数ロケーションを使用することによって示され得るか、またはＰＩフォーマットは、ＲＲＣシグナリングによって半静的に示され得ることが理解されよう。
【０１４４】
任意選択で、ＤＣＩはＷ個のＰＩを含んでよく、Ｗは正の整数である。各ＰＩは、フィールドＢ、フィールドＣ、フィールドＤ、およびフィールドＥを含み、フィールドＢおよびフィールドＣは任意選択である。各ＰＩは、１つの端末デバイスまたは端末デバイスの１つのグループのデータ伝送がプリエンプトされるかどうかを示すために使用される。本明細書では、端末デバイスは、端末デバイスの帯域幅パート（ｂａｎｄｗｉｄｔｈ  ｐａｒｔ、ＢＷＰ）に基づいてグループ化され得る。たとえば、同じＢＷＰが構成された端末デバイスは、１つのグループに入れられる。Ｗの値は、ＲＲＣシグナリングを使用することによってネットワークデバイスによって端末デバイスのために構成され得る。
【０１４５】
実施形態３：変化するビット長さをもつＰＩの設計
【０１４６】
フィールドＡ中のビットの量が、ＰＩ領域のサイズに基づいて動的に判定された場合、プリエンプトされた時間周波数リソースＢはより効果的に示されることが可能である。たとえば、ＰＩ領域が比較的小さいとき、比較的小さい量のビットが選択されて、ＰＩオーバーヘッドが低減され得る。ＰＩ領域が比較的大きいとき、比較的大きい量のビットが選択され得、したがって、示されるグラニュラリティはより小さくなり、プリエンプトされた時間周波数リソースはより正確に示されて、プリエンプションインジケーションを受信しているＵＥが、小さい時間周波数リソースのみのプリエンプションにより、大きい時間周波数リソース上のデータを廃棄する事例が回避され、それにより、データ伝送効率が効果的に改善されることが可能である。
【０１４７】
特に、ＰＩフォーマットのセットは、Ａ＝｛ＰＩ１，ＰＩ２，ＰＩ３，…，ＰＩｊ｝のように定義されてよく、ネットワークデバイスおよびＵＥは、現在使用されるＰＩフォーマットとして、ＰＩ領域のサイズに基づいて、セットＡからＰＩフォーマットを動的に選択し得る。より大きいＰＩ領域は、選択されたＰＩ中のフィールドＡのより大きいビット長さを示す。異なるＰＩフォーマットは、異なるＤＣＩフォーマットに対応する。
【０１４８】
たとえば、セットＡ＝｛ＰＩ１，ＰＩ２｝であり、ＰＩ１中のフィールドＡは７ビットを有し、ＰＩ２中のフィールドＡは１４ビットを有する。ＰＩ領域の時間ドメインサイズが１つのスロットであるとき、フォーマットＰＩ１が使用されるか、またはＰＩ領域の時間ドメインサイズが２つのスロットであるとき、フォーマットＰＩ２が使用される。
【０１４９】
別の例では、セットＡ＝｛ＰＩ１，ＰＩ２，ＰＩ３｝であり、ＰＩ１中のフィールドＡは７ビットを有し、ＰＩ２中のフィールドＡは１４ビットを有し、ＰＩ３中のフィールドＡは２１ビットを有する。ＰＩ領域中の時間周波数ユニットの量がＲＢ１以下であるとき、フォーマットＰＩ１が使用されるか、またはＰＩ領域中の時間周波数ユニットの量がＲＢ２よりも大きいとき、フォーマットＰＩ３が使用されるか、またはＰＩ領域中の時間周波数ユニットの量がＲＢ１よりも大きくてＲＢ２以下であるとき、フォーマットＰＩ２が使用される。本明細書での時間周波数ユニットの定義については、本出願の実施形態２を参照されたい。ＲＢ１とＲＢ２は、両方とも正の整数であり、時間周波数ユニットの量のしきい値であり、ＲＢ１はＲＢ２よりも小さい。
【０１５０】
ネットワークデバイスおよびＵＥは、代替として、ＵＥのＰＩ監視期間に基づいてＰＩフォーマットを判定し得る。たとえば、より長いＰＩ監視期間は、選択されたＰＩ中のフィールドＡのより大きいビット長さを示す。
【０１５１】
ＰＩフォーマット判定のためのポリシーは次の通りであり得る。システムにおいてルールＣが事前定義され、ルールに従ってＰＩフォーマットが判定される。ネットワークデバイスとＵＥの両方は、ルールの入力パラメータを取得することができ、したがって、ネットワークデバイスとＵＥの両方は、ルールＣに従ってＰＩフォーマットを判定して、ＰＩフォーマットについて首尾一貫した理解を有することができる。別の可能なポリシーは次の通りである。ネットワークデバイスおよびＵＥがＰＩフォーマットについて首尾一貫した理解を有するように、ネットワークデバイスが、ルールＤに従ってＰＩフォーマットを判定し、次いで、シグナリングを使用することによってＰＩフォーマットをＵＥに通知する。本明細書でのシグナリングは、ＲＲＣシグナリング、ＭＡＣレイヤシグナリング、または物理レイヤシグナリングであり得る。ルールＣおよびルールＤにおいて考慮されるファクタは、ＰＩ領域の周波数ドメイン幅、ＰＩ領域の周波数ドメインセグメント化グラニュラリティ（すなわち、上記の周波数ドメインユニット）、ＰＩ領域の時間ドメイン長さ、ＰＩ領域の時間ドメインセグメント化グラニュラリティ（すなわち、上記の第３の時間ユニット）、ＰＩ監視期間、ＰＩ送信期間、ヌメロロジ、およびＰＩ領域の時間周波数領域サイズのうちの少なくとも１つを含み得る。
【０１５２】
表３は、ＰＩ領域の周波数ドメイン幅、ＰＩ領域の時間ドメイン長さ、およびヌメロロジに基づいてＰＩフォーマットを選択するための可能な選択ポリシーの表である。表３中の各セルの値は例にすぎず、特定の考慮ファクタおよび選択ポリシーが実際の要件に従って設計されてよく、本出願では限定されない。実際の要件に従ってＰＩフォーマットをフレキシブルに選択するこの解決策は、様々な可能なシナリオにフレキシブルに適応して、ＰＩインジケーション効率とＰＩインジケーションオーバーヘッドとの間のより良い折衷に達し得る。
【０１５３】
【表６】
0006985430.tif 000007
【０１５４】
ＤＣＩフォーマットのセットは、代替として、Ｂ＝｛ＤＣＩ１，ＤＣＩ２，ＤＣＩ３，…ＤＣＩｋ｝のように定義されてよく、上記の方法と同様の方法に従ってセットＢから、現在使用されるＤＣＩフォーマットが選択されることが理解されよう。詳細について本明細書で説明されない。
【０１５５】
ＰＩフォーマットが判定された後に、どのようにＰＩ領域をセグメント化してｍ個のサブ領域を取得すべきかについては、実施形態２を参照されたい。
【０１５６】
実施形態４：周波数ドメイン中で固定グラニュラリティをもつＰＩの設計
【０１５７】
ＰＩ領域は、周波数ドメイン中で、固定グラニュラリティに基づいてセグメント化され、たとえば、リソースブロックグループ（ｒｅｓｏｕｒｃｅ  ｂｌｏｃｋ  ｇｒｏｕｐ、ＲＢＧ）のグラニュラリティに基づいてセグメント化される。ＰＩは、周波数ドメイン中で、セグメント化の後に取得された各サブ領域がプリエンプトされるかどうかを示す。任意選択で、ＰＩ領域の周波数ドメイン幅に基づいてＲＢＧのサイズが判定され得る。たとえば、ＰＩ領域の周波数ドメイン幅が１０メガヘルツ（ＭｅｇａＨｅｒｔｚ、ＭＨｚ）よりも小さいとき、ＲＢＧは２つのリソースブロック（ｒｅｓｏｕｒｃｅ  ｂｌｏｃｋ、ＲＢ）であり得るか、またはＰＩ領域の周波数ドメイン幅が１０ＭＨｚよりも大きくて２０ＭＨｚよりも小さいとき、ＲＢＧは４つのＲＢであり得る。
【０１５８】
ＲＢＧはｐ個のＲＢを含み、ＰＩ領域の周波数ドメイン幅は、Ｎ個のＲＢであり、Ｎ＝ｐｋ＋ｒ、およびｒ＜ｐであり、ｐおよびＮは正の整数であり、ｒおよびｋは、０以上の整数である、と仮定される。ＰＩ領域が周波数ドメイン中で分割された後に、ＰＩ領域中で、ｋ個のサブ領域はｐ個のＲＢを含み、１つのサブ領域はｒ個のＲＢを含むか、またはｋ−１個のサブ領域はｐ個のＲＢを含み、１つのサブ領域はｐ＋ｒ個のＲＢを含む。ＰＩ領域は、同様の方式で時間ドメイン中でセグメント化されてもよく、固定時間ドメイングラニュラリティは、ｘ個のシンボルである。特定のセグメント化処理は、周波数ドメイン中の上記のセグメント化処理と同じであり、詳細について本明細書で説明されない。
【０１５９】
すべての上記の実施形態において、周波数ドメイン中のＰＩ領域のすべての処理は、参照としてＰＩ領域のヌメロロジを使用することによって実施される。
【０１６０】
図５は、本出願の実施形態５による制御情報伝送方法を示す。方法は以下のステップを含む。
【０１６１】
Ｓ５１０．ネットワークデバイスは第１のインジケーション情報を判定し、第１のインジケーション情報は、第１の時間周波数リソース上の情報伝送が影響を受けるかどうかを示すために使用される。第１のインジケーション情報のコンテンツは、第１のインジケーション情報が送信される前に取得されるスケジューリング結果に基づいて判定されることが理解されよう。
【０１６２】
特に、第１のインジケーション情報は、受信において支援するための上記のインジケーション情報であり、第１の時間周波数リソースは、上記のＰＩ領域である。
【０１６３】
任意選択で、第１の時間周波数リソースの時間ドメインロケーションおよび周波数ドメインロケーションは、システムにおいて事前定義されるか、またはプロトコルにおいて事前定義される。
【０１６４】
任意選択で、ネットワークデバイスは第１の制御情報を送信し、第１の制御情報は第１の時間周波数リソースの周波数ドメインロケーション情報を含み、第１の時間周波数リソースの時間ドメインロケーションはシステムにおいて事前定義されるか、またはプロトコルにおいて事前定義される。可能な実装において、第１の時間周波数リソースのものであり、第１の制御情報に含まれる周波数ドメインロケーション情報は、ｅＭＢＢ  ＵＥとＵＲＬＬＣ  ＵＥとが共存する周波数ドメインロケーションに基づいて判定される。第１の制御情報は、ＲＲＣシグナリング、物理レイヤシグナリング、またはＭＡＣレイヤシグナリングのうちの１つまたは複数を使用することによって伝送され得る。
【０１６５】
任意選択で、ネットワークデバイスは第１の制御情報を送信し、第１の制御情報は第１の時間周波数リソースの時間ドメインロケーション情報を含み、第１の時間周波数リソースの周波数ドメインロケーション情報はシステムにおいて事前定義されるか、またはプロトコルにおいて事前定義される。
【０１６６】
任意選択で、ネットワークデバイスは第１の制御情報を送信し、第１の制御情報は第１の時間周波数リソースの時間ドメインロケーション情報と周波数ドメインロケーション情報とを含む。
【０１６７】
任意選択で、第１の時間周波数リソースの周波数ドメインロケーション情報は、開始ロケーションオフセット情報および周波数ドメイン幅情報を含む。第１の時間周波数リソースの周波数ドメインロケーション情報は、周波数ドメインロケーションの基準点情報をさらに含み得る。第１の時間周波数リソースの周波数ドメインロケーションは、周波数ドメインロケーションの基準点、開始ロケーションオフセット、および周波数ドメイン幅のすべてに基づいて判定される。周波数ドメインロケーションの基準点は、システムまたはプロトコルにおいて予め定められてよく、またはネットワークデバイスによって、第１の制御情報を使用することによってＵＥに送信され得る。
【０１６８】
それに対応して、端末デバイスは第１の制御情報を受信する。
【０１６９】
特に、第１の時間周波数リソースの時間ドメインロケーション情報を判定する方法については、実施形態１を参照されたい。システム事前定義またはプロトコル事前定義方式に関して、実施形態１での３つの変数Ｘ、Ｙ、およびＴの値は事前定義されるか、または２つの変数ＸおよびＹの値は事前定義される。シグナリング通知方式に関して、第１の制御情報は３つの変数Ｘ、Ｙ、およびＴの値情報を含み、または第１の制御情報は２つの変数ＸおよびＹの値情報を含み、または第１の制御情報は変数ＸまたはＹの値情報を含み、Ｘ、Ｙ、およびＴ中のものであるおよび第１の制御情報に含まれない変数の値は、システムにおいて事前定義されるか、またはプロトコルにおいて事前定義される。
【０１７０】
特に、第１の時間周波数リソースの周波数ドメインロケーション情報を判定する方法については、実施形態１を参照されたい。システム事前定義またはプロトコル事前定義方式に関して、実施形態１において、周波数ドメインロケーションの基準点、開始ロケーションオフセット、および周波数ドメイン幅は、事前定義され得る。シグナリング通知方式に関して、第１の制御情報は、周波数ドメインロケーションの基準点についての情報、開始オフセット、および周波数ドメイン幅を含み、または第１の制御情報は、周波数ドメインロケーションの基準点情報、開始ロケーションオフセット情報、および周波数ドメイン幅情報の１つまたは２つを含み、第１の制御情報に含まれない情報は、システムにおいて事前定義されるか、またはプロトコルにおいて事前定義される。
【０１７１】
ｅＭＢＢサービスデータを伝送するために使用される時間周波数リソースは、２つのタイプの異なる方式において占有され、一方のタイプはプリエンプション方式であり、他方のタイプはレートマッチング方式である。したがって、ネットワークデバイスは、時間周波数リソース占有方式について端末デバイスに明示的にまたは暗黙的に通知する必要がある。端末デバイスは、異なる時間周波数リソース占有方式に基づいて、異なる処理を行い得る。プリエンプション方式に関して、端末デバイスは、占有された時間周波数リソース上のデータを直接破棄し、破棄されたデータは復号またはＨＡＲＱ合成には関与せず、およびデータ伝送のために使用される時間周波数リソースに基づいて、時間周波数リソース上の各コードブロック（ｃｏｄｅ  ｂｌｏｃｋ、ＣＢ）のロケーションを判定し、さらにレートデマッチングおよび復号処理を行う。レートマッチング方式に関して、端末デバイスは占有された時間周波数リソース上のデータを直接破棄し、破棄されたデータは復号またはＨＡＲＱ合成には関与せず、および端末デバイスは、占有された時間周波数リソースと、データ伝送のために使用される時間周波数リソースとに基づいて、時間周波数リソース上の各ＣＢのロケーションを判定し、さらにレートデマッチングおよび復号処理を行う。明示的または暗黙のインジケーションに基づいて、ネットワークデバイスおよび端末デバイスがデータを時間周波数リソースにマッピングする方式について首尾一貫した理解を有することを確実にするように、端末デバイスは時間周波数リソース上の各ＣＢのロケーションを正しく判定してよく、それによって受信されたデータが正しく復号されることができることを確実にする。
【０１７２】
第１の可能な実装において、第１のインジケーション情報は第１のフィールドを含み、第１のフィールドは、第１の時間周波数リソース上の情報伝送が影響を受ける方式、すなわちプリエンプション方式またはレートマッチング方式かの、第１の時間周波数リソース中の時間周波数リソースが占有される方式を示すために使用される。任意選択で、第１のフィールドの長さは１ビットであってよい。第１のフィールドの値が１であるとき第１のフィールドはプリエンプション方式を示し、または第１のフィールドの値が０であるとき第１のフィールドはレートマッチング方式を示し、または第１のフィールドの値が０であるとき第１のフィールドはプリエンプション方式を示し、または第１のフィールドの値が１であるとき第１のフィールドはレートマッチング方式を示す。
【０１７３】
第２の可能な実装において、第１のインジケーション情報は第２のフィールドを含み、第２のフィールドは、第１の時間周波数リソース中の時間周波数リソースを占有するリソースのタイプを示すために使用される。たとえば、０はＵＲＬＬＣサービスを示すために使用されてよく、１は予約済みリソースを示すために使用されてよく、２は干渉管理リソースを示すために使用されてよい。さらに、各リソースタイプは、１つの時間周波数リソース占有方式に対応し得る。たとえば、ＵＲＬＬＣサービスはプリエンプション方式に対応し、予約済みリソースおよび干渉管理リソースの両方はレートマッチング方式に対応する。第２のフィールドを取得した後、端末デバイスはリソース占有方式を取得することができる。
【０１７４】
第３の可能な実装において、第１のインジケーション情報は第１のフィールドおよび第２のフィールドを含む。この場合、リソースタイプと時間周波数リソース占有方式との間の結合関係はない。
【０１７５】
第４の可能な実装において、時間周波数リソース占有方式を暗黙的に通知するために、制御リソースセット（ｃｏｎｔｒｏｌ  ｒｅｓｏｕｒｃｅ  ｓｅｔ、ＣＯＲＥＳＥＴ）と、時間周波数リソース占有方式との間の対応が定義される。たとえば、第１のインジケーション情報がＣＯＲＥＳＥＴ１上で送信される場合、それは時間周波数リソースがプリエンプション方式において占有されることを示し、または第１のインジケーション情報がＣＯＲＥＳＥＴ２上で送信される場合、それは時間周波数リソースがレートマッチング方式において占有されることを示す。上記のマッピング関係を満足する複数のＣＯＲＥＳＥＴ１およびＣＯＲＥＳＥＴ２があり得る。
【０１７６】
第５の可能な実装において、時間周波数リソース占有方式を暗黙的に通知するために、無線ネットワーク一時識別子（ｒａｄｉｏ  ｎｅｔｗｏｒｋ  ｔｅｍｐｏｒａｒｙ  ｉｄｅｎｔｉｆｉｅｒ、ＲＮＴＩ）と、時間周波数リソース占有方式との間の対応が定義される。たとえば、第１のインジケーション情報がＲＮＴＩ１を使用することによってスクランブルされる場合、それは時間周波数リソースがプリエンプション方式において占有されることを示し、または第１のインジケーション情報がＲＮＴＩ２を使用することによってスクランブルされる場合、それは時間周波数リソースがレートマッチング方式において占有されることを示す。上記のマッピング関係を満足する複数のＲＮＴＩ１およびＲＮＴＩ２があり得る。
【０１７７】
第６の可能な実装において、時間周波数リソース占有方式を暗黙的に通知するために、第１のインジケーション情報のペイロードサイズ（ｐａｙｌｏａｄ  ｓｉｚｅ）と、時間周波数リソース占有方式との間の対応が定義される。たとえば、第１のインジケーション情報のペイロードサイズがｐ１である場合、それは時間周波数リソースがプリエンプション方式において占有されることを示し、または第１のインジケーション情報のペイロードサイズがｐ２である場合、それは時間周波数リソースがレートマッチング方式において占有されることを示す。上記のマッピング関係を満足する複数のタイプのｐ１およびｐ２があり得る。
【０１７８】
第７の可能な実装において、時間周波数リソース占有方式は、第１のインジケーション情報を送信するための時間ドメインロケーションに基づいて判定される。たとえば、第１のインジケーション情報を送信するための時間ドメインロケーションが第１の時間周波数リソースの前にある場合、それは時間周波数リソースがレートマッチング方式において占有されることを示し得、または第１のインジケーション情報を送信するための時間ドメインロケーションが第１の時間周波数リソースの後にある場合、それは時間周波数リソースがプリエンプション方式において占有されることを示し得、または第１のインジケーション情報を送信するための時間ドメインロケーションが第１の時間周波数リソース内にある場合は、第１のインジケーション情報が最初のｎ個の時間ドメインシンボル上で送信されるとき、それは時間周波数リソースがレートマッチング方式において占有されることを示し得、または第１のインジケーション情報が最後のｍ個の時間ドメインシンボル上で送信されるとき、それは時間周波数リソースがプリエンプション方式において占有されることを示し得る。
【０１７９】
第８の可能な実装において、異なるリソース領域が予め構成され、時間周波数リソース占有方式は、第１の時間周波数リソース、または第１のインジケーション情報によって示される影響を受ける時間周波数リソースの異なるロケーションに基づいて判定される。たとえば、ＵＲＬＬＣおよびｅＭＢＢの共存領域はＢ１として予め構成され、ＬＴＥでの使用のために予約される領域はＢ２として予め構成され、および干渉管理のために使用されるリソース領域はＢ３として予め構成される。この場合、第１の時間周波数リソースがＢ１中に位置することを見出したとき、端末デバイスは時間周波数リソースがプリエンプション方式において占有されると見なし、または第１の時間周波数リソースがＢ２またはＢ３中に位置することを見出したとき、端末デバイスは時間周波数リソースがレートマッチング方式において占有されると見なす。代替として、第１のインジケーション情報によって示される影響を受ける時間周波数リソースがＢ１中に位置することを見出したとき、端末デバイスは時間周波数リソースがプリエンプション方式において占有されると見なし、または第１のインジケーション情報によって示される影響を受ける時間周波数リソースがＢ２またはＢ３中に位置することを見出したとき、端末デバイスは時間周波数リソースがレートマッチング方式において占有されると見なす。
【０１８０】
Ｓ５２０．ネットワークデバイスは、ＰＤＣＣＨを通して第１のインジケーション情報を送信する。任意選択で、ネットワークデバイスは、Ｎ番目の第１の時間ユニット上のＰＤＣＣＨを通して第１のインジケーション情報を送信する。それに対応して、端末デバイスは第１のインジケーション情報を受信する。
【０１８１】
本明細書での第１の時間ユニットはヌメロロジにおいて時間ドメイン長さであってよく、およびヌメロロジにおいて時間ドメインシンボル、ミニスロット、スロット、サブフレームなどであってよい。本明細書でのヌメロロジは、データ伝送のために使用されるヌメロロジと同じまたは異なり得る。任意選択で、第１の時間ユニットの長さは、第１の時間周波数リソースの時間ドメイン長さに等しい。
【０１８２】
任意選択で、第１のインジケーション情報は、ｍビットの長さを有する第２のインジケーション情報を含み、ｍは、１より大きい整数であり、第２のインジケーション情報中の各ビットは、第１の時間周波数リソース中の１つの第２の時間ユニット上の情報伝送が影響を受けるかどうかを示すために使用され、および第２の時間ユニットの時間ドメイン長さは、第１の時間周波数リソースの時間ドメイン長さ以下である。本明細書での第２のインジケーション情報は、実施形態２でのフィールドＡに対応する。第２の時間ユニットの詳しい定義については、実施形態２を参照されたい。
【０１８３】
任意選択で、第１のインジケーション情報は、ｍビットの長さを有する第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１より大きい整数であり、第２の時間周波数リソースの周波数ドメイン幅は、第１の時間周波数リソースの周波数ドメイン幅以下である。本明細書での第２の時間周波数リソースについては、実施形態２における第２の時間周波数リソースの定義を参照されたい。
【０１８４】
ネットワークデバイスは、第１のインジケーション情報の送信オケージョンが到来したとき、第１のインジケーション情報を送信し得ることが理解されよう。送信オケージョンは、送信期間に基づいて判定され得る。たとえば、第１のインジケーション情報の送信期間が４スロットであると仮定すると、ネットワークデバイスは４スロットごとに第１のインジケーション情報を送信し得る。第１のインジケーション情報は、影響を受ける時間周波数リソースがあるかどうかを示すため、および特定の影響を受ける時間周波数リソースを示すために使用される。代替として、第１のインジケーション情報の送信オケージョンが到来したとき、ネットワークデバイスは最初に、ＰＩ領域における情報伝送のために使用される影響を受ける時間周波数リソースがあるかどうかを判定し得る。本明細書では、「影響を受ける」は「プリエンプトされる」を含む。ＰＩ領域中に影響を受ける時間周波数リソースがある場合、特定の影響を受ける時間周波数リソースを示すために、第１のインジケーション情報が送信される。
【０１８５】
ネットワークデバイスによる第１のインジケーション情報を送信する送信オケージョンは、送信期間および送信オフセットの両方に基づいて判定され得ることが理解されよう。たとえば、送信期間はＴ個の第１の時間ユニットであり、送信オフセットの基準のベースは、無線フレーム、サブフレーム、またはスロットなどの時間ユニットの開始ロケーションであってよく、送信オフセットはＫ個の第１の時間ユニットであってよい。端末デバイスによる第１のインジケーション情報を受信する受信オケージョンは、ネットワークデバイスによる第１のインジケーション情報を送信する送信オケージョンと同じであり、端末デバイスによる第１のインジケーション情報を受信する受信オケージョンは、監視オケージョンまたは検出オケージョンと呼ばれることもある。
【０１８６】
端末デバイスは、第１のインジケーション情報の監視オケージョンが到来したとき、第１のインジケーション情報を監視し得る。監視オケージョンは、監視期間に基づいて判定される。たとえば、第１のインジケーション情報の監視期間が４スロットであると仮定すると、端末デバイスは、ネットワークデバイスが第１のインジケーション情報を送信するかどうかを判定するために、４スロットごとに第１のインジケーション情報を監視し得る。ネットワークデバイスが第１のインジケーション情報を送信する場合、端末デバイスは第１のインジケーション情報を復調および復号する。
【０１８７】
代替として、第１のインジケーション情報の監視オケージョンが到来したとき、端末デバイスは、第１のインジケーション情報の監視オケージョンに対応する第１の時間周波数リソース上で端末デバイスに送信されるべきデータまたは制御情報があるかどうかを判定し、およびネットワークデバイスが第１のインジケーション情報を送信するかどうかを判定するために、第１の時間周波数リソース上で端末デバイスに送信されるべきデータまたは制御情報がある場合、第１のインジケーション情報を監視し得る。第１の時間周波数リソースは、プリエンプトされることが不可能な時間周波数リソースを含み得ることを考慮すると、第１のインジケーション情報の監視オケージョンが到来したとき、端末デバイスは、プリエンプトされることが不可能な時間周波数リソースが第１の時間周波数リソースから除去された後に取得された時間周波数リソース上で端末デバイスに送信されるべき、データまたは制御情報があるかどうかを判定し得る。プリエンプトされることが不可能な時間周波数リソースは、予約済み時間周波数リソースであってよい。本明細書では予約済み時間周波数リソースは、上位互換性または下位互換性のために使用され得、またはＲＳなどを送信するために使用され得る。プリエンプトされることが不可能な時間周波数リソースが第１の時間周波数リソースから除去された後に取得された時間周波数リソース上で端末デバイスに送信されるべきデータまたは制御情報がある場合、端末デバイスは、ネットワークデバイスが第１のインジケーション情報を送信するかどうかを判定するために、第１のインジケーション情報を監視する。ネットワークデバイスが第１のインジケーション情報を送信する場合、端末デバイスは第１のインジケーション情報を復調および復号する。本明細書では制御情報は、基準情報または基準信号を含む。第１のインジケーション情報の監視オケージョンに対応する第１の時間周波数リソースは、実施形態１を参照することによって取得され得る。たとえば、第１のインジケーション情報の監視オケージョンがＮ番目の第１の時間ユニットであると仮定すると、対応する第１の時間周波数リソースの時間ドメインロケーションは、（Ｎ−Ｘ）番目の第１の時間ユニットから（Ｎ−Ｙ）番目の第１の時間ユニットまでであり、対応する第１の時間周波数リソースの周波数ドメインロケーションは、実施形態１での関係する説明に基づいて取得されてもよい。詳細について本明細書で再び説明されない。この実施形態によれば、端末デバイスは、必要なときのみ第１のインジケーション情報を監視し、したがって、端末デバイスの処理リソースは節約されて、端末デバイスのエネルギー消費が低減されることが可能である。
【０１８８】
第１のインジケーション情報を復号することによって、基準信号（ｒｅｆｅｒｅｎｃｅ  ｓｉｇｎａｌ、ＲＳ）を受信するために使用される時間周波数リソースはプリエンプトされるまたは影響を受けることを見出したとき、端末デバイスは、端末デバイスによってチャネル状態情報（ｃｈａｎｎｅｌ  ｓｔａｔｅ  ｉｎｆｏｒｍａｔｉｏｎ、ＣＳＩ）をフィードバックするための時間シーケンスを調整し得る。本明細書でのＲＳは、ＣＳＩ−ＲＳまたは他のＲＳであってよい。説明のために以下で例としてＣＳＩ−ＲＳが使用される。ＣＳＩ−ＲＳを受信するために端末デバイスによって使用される時間周波数リソースがプリエンプトされるまたは影響を受ける場合、端末デバイスが、プリエンプトされるまたは影響を受ける時間周波数リソース上でＣＳＩ−ＲＳの部分に対してＣＳＩ測定を行うとき比較的大きな偏移が引き起こされ得る。第１のインジケーション情報に基づいて、ＣＳＩ−ＲＳを受信するために使用される時間周波数リソースがプリエンプトされるまたは影響を受けることを判定した後、端末デバイスは、ＣＳＩ測定結果を更新するために、時間周波数リソース上のＣＳＩ−ＲＳの部分を除去した後、再びＣＳＩ測定を行い得る。ＣＳＩ測定結果の更新はＣＳＩフィードバック時間シーケンスに影響し得ることを考慮すると、端末デバイスがより正確なＣＳＩ測定結果をネットワークデバイスにフィードバックできるように、端末デバイスによってＣＳＩをフィードバックするための時間シーケンスが調整され得る。
【０１８９】
図５Ａは、本出願の実施形態によるＣＳＩフィードバック時間シーケンスの概略図である。図５Ａに示されるように、端末デバイスは瞬間Ｔ０においてＣＳＩ−ＲＳを受信し、ＣＳＩ−ＲＳに基づいてＣＳＩ測定を行う。Ｔ１は、端末デバイスが第１のインジケーション情報を受信する瞬間を示し、Ｔ１はＴ０より大きい。Ｔ２は、端末デバイスが、瞬間Ｔ０において受信されたＣＳＩ−ＲＳに基づいてＣＳＩをフィードバックする瞬間を示す。Ｔ３は、端末デバイスが、更新されたＣＳＩをフィードバックする瞬間を示す。Ｔ３がＴ２以下であるとき、ＣＳＩは瞬間Ｔ２においてフィードバックされてよく、または瞬間Ｔ３においてフィードバックされてよい。Ｔ３がＴ２より大きいとき、ＣＳＩは瞬間Ｔ３においてフィードバックされる。
【０１９０】
可能な実装において、端末デバイスが第１のインジケーション情報を監視する必要があるとき、端末デバイスはＴ２からＴ３までにＣＳＩフィードバック瞬間を調整する。第１のインジケーション情報が、ＣＳＩ−ＲＳのための時間周波数リソースの部分または全部は瞬間Ｔ０においてプリエンプトされるまたは影響を受けることを示すとき、端末デバイスは、第１のインジケーション情報のコンテンツに基づいて、プリエンプトされるまたは影響を受ける時間周波数リソース上のＣＳＩ−ＲＳの部分を除去し、ＣＳＩ−ＲＳの残りの部分に再びＣＳＩ測定を行ってＣＳＩ測定結果を更新し、および更新されたＣＳＩ測定結果を瞬間Ｔ３においてネットワークデバイスにフィードバックし得る。任意選択で、端末デバイスは、ネットワークデバイスから第２のインジケーション情報をさらに受信し、第２のインジケーション情報は端末デバイスが第１のインジケーション情報を監視する必要があるかどうかを示すために使用される。たとえば、ｅＭＢＢ  ＵＥによってアクセスされるセルが、ｅＭＢＢ  ＵＥとＵＲＬＬＣ  ＵＥとがその中に共存するセルであるとき、ネットワークデバイスは、ＵＥに第２のインジケーション情報を送信して、ｅＭＢＢ  ＵＥのデータ伝送リソースがＵＲＬＬＣによってプリエンプトされるかどうかを判定するために、第１のインジケーション情報を監視するようにＵＥに指示する。ｅＭＢＢ  ＵＥとＵＲＬＬＣ  ＵＥとがその中に共存するセルに対して、ＣＳＩフィードバック瞬間は瞬間Ｔ２から瞬間Ｔ３までに調整される。
【０１９１】
他の可能な実装において、Ｔ３がＴ２以上であり、Ｔ２がＴ１より大きいとき、端末デバイスが第１のインジケーション情報を監視する必要があるが第１のインジケーション情報を検出しない場合、または受信された第１のインジケーション情報がＣＳＩ−ＲＳのための時間周波数リソースが瞬間Ｔ０においてプリエンプトされないまたは影響を受けないことを示す場合、端末デバイスは、ＣＳＩ測定結果を瞬間Ｔ２においてネットワークデバイスにフィードバックする。
【０１９２】
ＣＳＩフィードバック時間シーケンスは、プロトコルにおいて事前定義され得る。たとえば、それはＴ３＝Ｔ１＋Δｔ１、またはＴ３＝Ｔ２＋Δｔ２として、プロトコルにおいて事前定義される。代替としてＣＳＩフィードバック時間シーケンスに関するパラメータはネットワーク側で判定されてよく、次いでＲＲＣシグナリングまたは物理レイヤシグナリングを使用することによって端末デバイスに通知され得る。ＣＳＩフィードバック時間シーケンスに関するパラメータは、Δｔ１、Δｔ２などを含み得る。
【０１９３】
Ｓ５３０．端末デバイスは、第１のインジケーション情報に基づいて、第３の時間周波数リソース上の情報伝送が影響を受けるかどうかを判定し、第３の時間周波数リソースは、端末デバイスとネットワークデバイスとの間のダウンリンク情報伝送のために使用される時間周波数リソースである。
【０１９４】
本明細書での第３の時間周波数リソースは、第１の時間周波数リソースと重なり合うことがあり、または重なり合わないことがある。第３の時間周波数リソースが第１の時間周波数リソースと重なり合わないとき、それは端末デバイスの情報伝送は、ＵＲＬＬＣサービスまたは他の情報伝送によって影響を受けないことを示す。第３の時間周波数リソースが第１の時間周波数リソースと重なり合うとき、端末デバイスは、第１のインジケーション情報のコンテンツに基づいてさらなる判定を行う必要がある。端末デバイスは最初に、第１のインジケーション情報のコンテンツ、および第１の時間周波数リソースの時間周波数範囲に基づいて、影響を受ける時間周波数リソースＢを判定し、次いで時間周波数リソースＢが第３の時間周波数リソースと重なり合うかどうかを判定する。時間周波数リソースＢが第３の時間周波数リソースと重なり合わない場合、それは端末デバイスの情報伝送は、ＵＲＬＬＣサービスまたは他の情報伝送によって影響を受けないことを示す。時間周波数リソースＢが、第３の時間周波数リソースとの重なり合う時間周波数リソースＣを有する場合、重なり合う時間周波数リソースＣは、ＵＲＬＬＣサービスデータのプリエンプションによって影響を受ける、または他の情報伝送によって影響を受ける時間周波数リソースである。端末デバイスは時間周波数リソースＣ上で受信された情報を破棄してよく、時間周波数リソースＣ上で受信された情報は復号またはＨＡＲＱ合成に関与しない。
【０１９５】
技術的解決策の内部論理に基づいて、新たな実施形態を形成するために、実施形態１から実施形態５は組み合わされてよく、または実施形態１から実施形態５への相互の参照がなされ得る。詳細について本明細書で説明されない。
【０１９６】
本出願でもたらされる上記の実施形態において、本出願の実施形態においてもたらされる制御情報伝送方法は、送信デバイスとして使用されるネットワークデバイス、受信デバイスとして使用される端末デバイス、および送信デバイスと受信デバイスとの間の相互作用の観点からそれぞれ述べられる。上記の機能を実装するために、送信デバイスおよび受信デバイスなどのデバイスは、機能を行うために対応するハードウェア構造および／またはソフトウェアモジュールを含むことが理解されよう。当業者は、本明細書で開示される実施形態で述べられる例におけるユニットおよび方法ステップと組み合わせて、本出願はハードウェア、またはハードウェアとコンピュータソフトウェアとの組み合わせによって実装されることができることを容易に理解するであろう。機能がハードウェアか、またはコンピュータソフトウェアによって駆動されるハードウェアによって行われるかは、技術的解決策の特定の応用例および設計制約条件に依存する。当業者は、各特定の応用例に対して、述べられる機能を実装するために異なる方法を使用してよいが、実装は本出願の範囲を超えるものと見なされるべきではない。
【０１９７】
図６および図７は、本出願の実施形態による通信装置の２つの可能な概略構造図である。通信装置は、上記の方法実施形態において送信デバイスとして使用されるネットワークデバイスの機能を実装し、したがってまた上記の方法実施形態での有利な効果を達成することができる。本出願のこの実施形態において、通信装置は、図２に示される無線アクセスネットワークデバイス２２０であってよい。
【０１９８】
図６に示されるように、通信装置６００は、処理ユニット６１０と送信ユニット６２０とを含む。
【０１９９】
処理ユニット６１０は、第１のインジケーション情報を判定するように構成され、第１のインジケーション情報は、第１の時間周波数リソース上の情報伝送が影響を受けるかどうかを示すために使用される。
【０２００】
送信ユニット６２０は、物理ダウンリンク制御チャネルを通して第１のインジケーション情報を送信するように構成される。
【０２０１】
送信ユニット６２０は、第１の制御情報を送信するようにさらに構成され、第１の制御情報は、第１の時間周波数リソースの周波数ドメインロケーション情報を含む。
【０２０２】
任意選択で、第１の時間周波数リソースの周波数ドメインロケーション情報は、開始ロケーションオフセット情報と、周波数ドメイン幅情報とを含む。
【０２０３】
任意選択で、第１のインジケーション情報は、ｍビットの長さを有する第２のインジケーション情報を含み、ｍは、１より大きい整数であり、第２のインジケーション情報中の各ビットは、第１の時間周波数リソース中の１つの第２の時間ユニット上の情報伝送が影響を受けるかどうかを示すために使用され、および第２の時間ユニットの時間ドメイン長さは、第１の時間周波数リソースの時間ドメイン長さ以下である。
【０２０４】
任意選択で、第１のインジケーション情報は、ｍビットの長さを有する第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１より大きい整数であり、第２の時間周波数リソースの周波数ドメイン幅は、第１の時間周波数リソースの周波数ドメイン幅以下である。
【０２０５】
図７に示されるように、通信装置７００は、プロセッサ７１０と、トランシーバ７２０と、メモリ７３０とを含む。メモリ７３０は、プロセッサ７１０によって実行されるべきコードを記憶するように構成され得る。通信装置７００中の構成要素は、内部接続経路を通して互いに通信し、たとえば、バスを通して制御および／またはデータ信号を転送する。
【０２０６】
プロセッサ７１０は、第１のインジケーション情報を判定するように構成され、第１のインジケーション情報は、第１の時間周波数リソース上の情報伝送が影響を受けるかどうかを示すために使用される。
【０２０７】
トランシーバ７２０は、物理ダウンリンク制御チャネルを通して第１のインジケーション情報を送信するように構成される。
【０２０８】
トランシーバ７２０は、第１の制御情報を送信するようにさらに構成され、第１の制御情報は、第１の時間周波数リソースの周波数ドメインロケーション情報を含む。
【０２０９】
任意選択で、第１の時間周波数リソースの周波数ドメインロケーション情報は、開始ロケーションオフセット情報と、周波数ドメイン幅情報とを含む。
【０２１０】
任意選択で、第１のインジケーション情報は、ｍビットの長さを有する第２のインジケーション情報を含み、ｍは、１より大きい整数であり、第２のインジケーション情報中の各ビットは、第１の時間周波数リソース中の１つの第２の時間ユニット上の情報伝送が影響を受けるかどうかを示すために使用され、および第２の時間ユニットの時間ドメイン長さは、第１の時間周波数リソースの時間ドメイン長さ以下である。
【０２１１】
任意選択で、第１のインジケーション情報は、ｍビットの長さを有する第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１より大きい整数であり、第２の時間周波数リソースの周波数ドメイン幅は、第１の時間周波数リソースの周波数ドメイン幅以下である。
【０２１２】
処理ユニット６１０、プロセッサ７１０、送信ユニット６２０、およびトランシーバ７２０に関する他の機能的説明は、上記の方法実施形態を参照することによって直接取得され得る。方法実施形態１から方法実施形態５までにおいて、情報送信機能は送信ユニット６２０およびトランシーバ７２０によって実装され、他のデータ処理機能はすべて処理ユニット６１０およびプロセッサ７１０によって実装される。詳細について本明細書で説明されない。
【０２１３】
図８および図９は、本出願の実施形態による通信装置の他の２つの可能な概略構造図である。通信装置は、上記の方法実施形態において受信デバイスとして使用される端末デバイスの機能を実装し、したがってまた上記の方法実施形態での有利な効果を達成することができる。本出願のこの実施形態において、通信装置は、図２に示される端末デバイス２３０、または端末デバイス２４０であってよい。
【０２１４】
図８に示されるように、通信装置８００は受信ユニット８１０と処理ユニット８２０とを含む。
【０２１５】
受信ユニット８１０は、物理ダウンリンク制御チャネルを通して第１のインジケーション情報を受信するように構成され、第１のインジケーション情報は、第１の時間周波数リソース上の情報伝送が影響を受けるかどうかを示すために使用される。
【０２１６】
処理ユニット８２０は、第１のインジケーション情報に基づいて、第３の時間周波数リソース上の情報伝送が影響を受けるかどうかを判定するように構成され、第３の時間周波数リソースは、端末デバイスとネットワークデバイスとの間のダウンリンク情報伝送のために使用される時間周波数リソースである。
【０２１７】
受信ユニット８１０は、第１の制御情報を受信するようにさらに構成され、第１の制御情報は、第１の時間周波数リソースの周波数ドメインロケーション情報を含む。
【０２１８】
任意選択で、第１の時間周波数リソースの周波数ドメインロケーション情報は、開始ロケーションオフセット情報と、周波数ドメイン幅情報とを含む。
【０２１９】
任意選択で、第１のインジケーション情報は、ｍビットの長さを有する第２のインジケーション情報を含み、ｍは、１より大きい整数であり、第２のインジケーション情報中の各ビットは、第１の時間周波数リソース中の１つの第２の時間ユニット上の情報伝送が影響を受けるかどうかを示すために使用され、および第２の時間ユニットの時間ドメイン長さは、第１の時間周波数リソースの時間ドメイン長さ以下である。
【０２２０】
任意選択で、第１のインジケーション情報は、ｍビットの長さを有する第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１より大きい整数であり、第２の時間周波数リソースの周波数ドメイン幅は、第１の時間周波数リソースの周波数ドメイン幅以下である。
【０２２１】
図９に示されるように、通信装置９００は、プロセッサ９２０と、トランシーバ９１０と、メモリ９３０とを含む。メモリ９３０は、プロセッサ９２０によって実行されるべきコードを記憶するように構成され得る。通信装置９００中の構成要素は、内部接続経路を通して互いに通信し、たとえば、バスを通して制御および／またはデータ信号を転送する。
【０２２２】
トランシーバ９１０は、物理ダウンリンク制御チャネルを通して第１のインジケーション情報を受信するように構成され、第１のインジケーション情報は、第１の時間周波数リソース上の情報伝送が影響を受けるかどうかを示すために使用される。
【０２２３】
プロセッサ９２０は、第１のインジケーション情報に基づいて、第３の時間周波数リソース上の情報伝送が影響を受けるかどうかを判定するように構成され、第３の時間周波数リソースは、端末デバイスとネットワークデバイスとの間のダウンリンク情報伝送のために使用される時間周波数リソースである。
【０２２４】
トランシーバ９１０は、第１の制御情報を受信するようにさらに構成され、第１の制御情報は、第１の時間周波数リソースの周波数ドメインロケーション情報を含む。
【０２２５】
任意選択で、第１の時間周波数リソースの周波数ドメインロケーション情報は、開始ロケーションオフセット情報と、周波数ドメイン幅情報とを含む。
【０２２６】
任意選択で、第１のインジケーション情報は、ｍビットの長さを有する第２のインジケーション情報を含み、ｍは、１より大きい整数であり、第２のインジケーション情報中の各ビットは、第１の時間周波数リソース中の１つの第２の時間ユニット上の情報伝送が影響を受けるかどうかを示すために使用され、および第２の時間ユニットの時間ドメイン長さは、第１の時間周波数リソースの時間ドメイン長さ以下である。
【０２２７】
任意選択で、第１のインジケーション情報は、ｍビットの長さを有する第２のインジケーション情報を含み、第２のインジケーション情報中の各ビットは、第１の時間周波数リソース中の１つの第２の時間周波数リソース上の情報伝送が影響を受けるかどうかを示すために使用され、ｍは、１より大きい整数であり、第２の時間周波数リソースの周波数ドメイン幅は、第１の時間周波数リソースの周波数ドメイン幅以下である。
【０２２８】
図７および図９はそれぞれ、単に通信装置の設計を示すことが理解されよう。実際の適用の間、通信装置は、任意の量の受信器と、任意の量のプロセッサとを含んでよく、本出願の実施形態を実装することができるすべての通信装置は、本出願の保護範囲に含まれる。
【０２２９】
受信ユニット８１０、トランシーバ９１０、処理ユニット８２０、およびプロセッサ９２０に関する他の機能的説明は、上記の方法実施形態を参照することによって直接取得され得る。方法実施形態１から方法実施形態５までにおいて、情報受信機能は受信ユニット８１０およびトランシーバ９１０によって実装され、他のデータ処理機能はすべて処理ユニット８２０およびプロセッサ９２０によって実装される。詳細について本明細書で説明されない。
【０２３０】
図６から図９に示される装置実施形態は、上記の方法実施形態のいくつかを参照することによって取得される。本出願の他の方法実施形態に対応する装置実施形態は、それに対応して、本出願の他の方法実施形態、および図６から図９に示される装置実施形態を参照することによって取得され得ることが理解されよう。詳細について本明細書で説明されない。
【０２３１】
本出願の実施形態がネットワークデバイスチップに適用されたとき、ネットワークデバイスチップは、上記の方法実施形態におけるネットワークデバイスの機能を実装することが理解されよう。ネットワークデバイスチップは、第１のインジケーション情報および第１の制御情報を、ネットワークデバイス中の他のモジュール（たとえば、無線周波数モジュールまたはアンテナ）に送信する。第１のインジケーション情報および第１の制御情報は、ネットワークデバイス中の他のモジュールを使用することによって、端末デバイスに送信される。
【０２３２】
本出願の実施形態が端末デバイスチップに適用されたとき、端末デバイスチップは、上記の方法実施形態における端末デバイスの機能を実装する。端末デバイスは、第１のインジケーション情報および第１の制御情報を、端末デバイス中の他のモジュール（たとえば、無線周波数モジュールまたはアンテナ）から受信する。第１のインジケーション情報および第１の制御情報は、ネットワークデバイスによって、端末デバイスに送信される。
【０２３３】
本出願の実施形態においてプロセッサは、中央処理装置（Ｃｅｎｔｒａｌ  Ｐｒｏｃｅｓｓｉｎｇ  Ｕｎｉｔ、ＣＰＵ）であってよく、他の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または他のプログラマブル論理デバイス、トランジスタ論理デバイス、ハードウェア構成要素、またはそれらの任意の組み合わせであってよいことが理解されよう。汎用プロセッサは、マイクロプロセッサまたは任意の従来のプロセッサであってよい。
【０２３４】
本出願の実施形態における方法ステップは、ハードウェアによって実装され得、またはソフトウェア命令を実行することによりプロセッサによって実装され得る。ソフトウェア命令は、対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）、レジスタ、ハードディスク、リムーバブルハードディスク、ＣＤ−ＲＯＭ、または当技術分野でよく知られている任意の他の形態の記憶媒体に記憶され得る。例としての記憶媒体は、プロセッサが記憶媒体から情報を読み出すことができ、記憶媒体に情報を書き込めるように、プロセッサに結合される。もちろん、代替として記憶媒体はプロセッサの構成要素であってよい。プロセッサおよび記憶媒体は、ＡＳＩＣ中に位置し得る。加えて、ＡＳＩＣは送信デバイスまたは受信デバイス中に位置し得る。もちろん、代替としてプロセッサおよび記憶媒体は、個別構成要素として送信デバイスまたは受信デバイス中に存在し得る。
【０２３５】
上記の実施形態のすべてまたはいくつかは、ソフトウェア、ハードウェア、ファームウェア、またはそれらの任意の組み合わせによって実装され得る。実施形態を実装するためにソフトウェアが使用されるとき、実施形態のすべてまたはいくつかは、コンピュータプログラム製品の形態で実装され得る。コンピュータプログラム製品は、１つまたは複数のコンピュータ命令を含む。コンピュータプログラム命令がコンピュータ上にロードされ、実行されるとき、本出願の実施形態による手順または機能のすべてまたはいくつかが生成される。コンピュータは、汎用コンピュータ、専用コンピュータ、コンピュータネットワーク、または他のプログラマブル装置であってよい。コンピュータ命令は、コンピュータ可読記憶媒体に記憶され得、またはコンピュータ可読記憶媒体を使用することによって伝送され得る。コンピュータ命令は、ウェブサイト、コンピュータ、サーバ、またはデータセンタから、他のウェブサイト、コンピュータ、サーバ、またはデータセンタに、ワイヤード（たとえば、同軸ケーブル、光ファイバ、またはデジタル加入者線（ＤＳＬ））、またはワイヤレス（たとえば、赤外線、無線、またはマイクロ波）方式で伝送され得る。コンピュータ可読記憶媒体は、コンピュータにアクセス可能な任意の使用可能な媒体、または１つまたは複数の使用可能な媒体を統合したサーバまたはデータセンタなどのデータ記憶デバイスであってよい。使用可能な媒体は、磁気媒体（たとえば、フロッピディスク、ハードディスク、または磁気テープ）、光媒体（たとえば、ＤＶＤ）、半導体媒体（たとえば、ソリッドステートディスク（Ｓｏｌｉｄ  Ｓｔａｔｅ  Ｄｉｓｋ、ＳＳＤ））などであってよい。
【０２３６】
本明細書において「複数の」という用語は、「２つ以上」を意味する。本明細書において用語「および／または」は単に、関連付けられた対象を記述するための関連関係を述べ、３つの関係が存在し得ることを表す。たとえば、Ａおよび／またはＢとは、以下の３つの場合を表す：Ａのみが存在する、ＡおよびＢの両方が存在する、ならびにＢのみが存在する。加えて、本明細書において文字「／」は一般に、関連付けられた対象の間の「ｏｒ」関係を示し、数式中の文字「／」は関連付けられた対象の間の「除算」関係を示す。
【０２３７】
本出願の実施形態における様々な数字は、単に説明を容易にするように識別するために使用され、本出願の実施形態の範囲を限定するものではないことが理解されよう。
【０２３８】
上記のプロセスの順序番号は、本出願の実施形態における実行順序を意味しないことが理解されよう。プロセスの実行順序は、プロセスの機能および内部論理に基づいて判定されるべきであり、本出願の実施形態の実装プロセスに対する何らかの限定として解釈されるべきではない。
【０２３９】
上記の説明は、単に本出願の実施形態の特定の実装にすぎない。本出願で開示される技術的範囲内において、当業者によって容易に考え出されるいずれの変形または置き換えも、本出願の実施形態の保護範囲に包含されるものとする。
【図１】
0006985430.tif 000008
【図２】
0006985430.tif 000009
【図３】
0006985430.tif 000010
【図３Ａ】
0006985430.tif 000011
【図３Ｂ】
0006985430.tif 000012
【図４】
0006985430.tif 000013
【図４Ａ】
0006985430.tif 000014
【図４Ｂ】
0006985430.tif 000015
【図４Ｃ】
0006985430.tif 000016
【図４Ｄ】
0006985430.tif 000017
【図４Ｅ】
0006985430.tif 000018
【図５】
0006985430.tif 000019
【図５Ａ】
0006985430.tif 000020
【図６】
0006985430.tif 000021
【図７】
0006985430.tif 000022
【図８】
0006985430.tif 000023
【図９】
0006985430.tif 000024